(57)【要約】【課題】希望信号の受信品質を高める。【解決手段】受信装置は、第１の処理部２２２，２２３と、第１の推定部２２６と、第２の処理部２２７と、を備える。第１の処理部２２２，２２３は、希望信号である第１の信号が送信される第１の無線エリアと異なる第２の無線エリアにて送信された第２の信号に対する第１の復調処理を実行する。第１の推定部２２６は、上記第１の復調処理の実行結果に基づいて、上記第２の無線エリアに対するチャネルを推定する第１の推定処理を実行する。第２の処理部２２７は、上記推定されたチャネルに基づいて、受信信号から、上記第２の無線エリアにて送信された上記第２の信号に起因する成分をキャンセルするキャンセル処理を実行する。受信装置は、上記キャンセル処理の実行結果に基づいて上記希望信号に対する第２の復調処理を実行する。【選択図】図１０
2016039381.tif 000002
【特許請求の範囲】
【請求項１】
希望信号である第１の信号が送信される第１の無線エリアと異なる第２の無線エリアにて送信された第２の信号に対する第１の復調処理を実行する第１の処理部と、
前記第１の復調処理の実行結果に基づいて、前記第２の無線エリアに対するチャネルを推定する第１の推定処理を実行する第１の推定部と、
前記推定されたチャネルに基づいて、受信信号から、前記第２の無線エリアにて送信された前記第２の信号に起因する成分をキャンセルするキャンセル処理を実行する第２の処理部と、を備えるとともに、
前記キャンセル処理の実行結果に基づいて前記希望信号に対する第２の復調処理を実行する、受信装置。
【請求項２】
請求項１に記載の受信装置であって、
前記第２の無線エリアにて送信された既知信号に基づいて前記第２の無線エリアに対するチャネルを推定する第２の推定処理を実行する第２の推定部を備え、
前記第１の復調処理は、前記第２の推定処理により推定されたチャネルに基づいて実行される、受信装置。
【請求項３】
請求項１又は請求項２に記載の受信装置であって、
前記第１の推定処理は、前記第２の信号の送信に用いられるアンテナの数に応じて定められた方式に従う、受信装置。
【請求項４】
請求項１乃至請求項３のいずれか一項に記載の受信装置であって、
前記キャンセル処理は、前記第２の信号の送信に用いられるアンテナの数に応じて定められた方式に従う、受信装置。
【請求項５】
請求項１乃至請求項４のいずれか一項に記載の受信装置であって、
前記第２の信号は、ＰＢＣＨ（Ｐｈｙｓｉｃａｌ  Ｂｒｏａｄｃａｓｔ  Ｃｈａｎｎｅｌ）にて送信される、受信装置。
【請求項６】
請求項１乃至請求項５のいずれか一項に記載の受信装置であって、
前記キャンセル処理は、前記第２の信号のレプリカ信号を、前記第１の推定処理により推定されたチャネルと、前記第１の復調処理の実行結果と、の積に基づいて生成し、前記生成したレプリカ信号を前記受信信号から減じることを含む、受信装置。
【請求項７】
希望信号である第１の信号が送信される第１の無線エリアと異なる第２の無線エリアにて送信された第２の信号に対する第１の復調処理を実行し、
前記第１の復調処理の実行結果に基づいて、前記第２の無線エリアに対するチャネルを推定する第１の推定処理を実行し、
前記推定されたチャネルに基づいて、受信信号から、前記第２の無線エリアにて送信された前記第２の信号に起因する成分をキャンセルするキャンセル処理を実行し、
前記キャンセル処理の実行結果に基づいて前記希望信号に対する第２の復調処理を実行する、受信方法。
【請求項８】
請求項７に記載の受信方法であって、
前記第２の無線エリアにて送信された既知信号に基づいて前記第２の無線エリアに対するチャネルを推定する第２の推定処理を実行し、
前記第１の復調処理は、前記第２の推定処理により推定されたチャネルに基づいて実行される、受信方法。
【請求項９】
送信装置と、受信装置と、を備え、
前記送信装置は、第１の無線エリアにて希望信号である第１の信号を送信する送信部を備え、
前記受信装置は、
前記第１の無線エリアと異なる第２の無線エリアにて送信された第２の信号に対する第１の復調処理を実行する第１の処理部と、
前記第１の復調処理の実行結果に基づいて、前記第２の無線エリアに対するチャネルを推定する第１の推定処理を実行する第１の推定部と、
前記推定されたチャネルに基づいて、受信信号から、前記第２の無線エリアにて送信された前記第２の信号に起因する成分をキャンセルするキャンセル処理を実行する第２の処理部と、を備えるとともに、前記キャンセル処理の実行結果に基づいて前記希望信号に対する第２の復調処理を実行する、無線通信システム。
【請求項１０】
請求項９に記載の無線通信システムであって、
前記受信装置は、
前記第２の無線エリアにて送信された既知信号に基づいて前記第２の無線エリアに対するチャネルを推定する第２の推定処理を実行する第２の推定部を備え、
前記第１の処理部は、前記第２の推定処理により推定されたチャネルに基づいて前記第２の信号に対する前記第１の復調処理を実行する、無線通信システム。
【発明の詳細な説明】
【技術分野】
【０００１】
本発明は、受信装置、受信方法、及び、無線通信システムに関する。
【背景技術】
【０００２】
基地局と移動局とを備える無線通信システムが知られている（例えば、特許文献１乃至３、及び、非特許文献１乃至２を参照）。移動局は、基地局から無線信号を受信する受信装置を備える。また、基地局は、移動局から無線信号を受信する受信装置を備える。移動局は、基地局が形成する無線エリアにおいて、その基地局との間で無線通信を行なう。
【０００３】
例えば、３ＧＰＰにより規定されたＬＴＥのＲｅｌｅａｓｅ  １０においては、ｅＩＣＩＣと表されるセル間干渉制御が提案されている。３ＧＰＰは、Ｔｈｉｒｄ  Ｇｅｎｅｒａｔｉｏｎ  Ｐａｒｔｎｅｒｓｈｉｐ  Ｐｒｏｊｅｃｔの略記である。ＬＴＥは、Ｌｏｎｇ  Ｔｅｒｍ  Ｅｖｏｌｕｔｉｏｎの略記である。ｅＩＣＩＣは、Ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎの略記である。
【０００４】
セル間干渉制御は、例えば、図１に示すように、マクロ基地局９１が形成するマクロセルＣ１内に、ピコ基地局９２が形成するピコセルＣ２が形成される場合に実行されることが想定される。この場合、ピコセルＣ２内に位置する移動局９３がピコ基地局９２から受信する無線信号に対する、マクロセルＣ１において送信される無線信号に起因する干渉は大きくなりやすい。以下、ピコセルＣ２内に位置する移動局９３がピコ基地局９２から受信する無線信号は、希望信号とも表される。また、マクロセルＣ１において送信される無線信号は、非希望信号又は干渉波とも表される。
【０００５】
このため、セル間干渉制御は、図２に示すように、マクロセルＣ１においてＡＢＳを送信する期間Ｐ１を設けるとともに、その期間Ｐ１においてピコセルにて移動局９３へデータを送信する。ＡＢＳは、Ａｌｍｏｓｔ  Ｂｌａｎｋ  Ｓｕｂｆｒａｍｅの略記である。
【０００６】
ＡＢＳは、参照信号（例えば、ＣＲＳ）、同期信号（例えば、ＰＳＳ及びＳＳＳ）、及び、報知信号を含む。ＣＲＳは、Ｃｅｌｌ−Ｓｐｅｃｉｆｉｃ  Ｒｅｆｅｒｅｎｃｅ  Ｓｉｇｎａｌの略記である。ＰＳＳは、Ｐｒｉｍａｒｙ  Ｓｙｎｃｈｒｏｎｉｚａｔｉｏｎ  Ｓｉｇｎａｌの略記である。ＳＳＳは、Ｓｅｃｏｎｄａｒｙ  Ｓｙｎｃｈｒｏｎｉｚａｔｉｏｎ  Ｓｉｇｎａｌの略記である。例えば、報知信号は、ＰＢＣＨ（Ｐｈｙｓｉｃａｌ  Ｂｒｏａｄｃａｓｔ  Ｃｈａｎｎｅｌ）にて送信される。ＡＢＳは、参照信号、同期信号、及び、報知信号のみに無線リソースが割り当てられたサブフレームである。
【０００７】
これによれば、期間Ｐ１においては、干渉波が移動局９３における受信品質に及ぼす影響を低減できる。この結果、移動局９３における受信品質を高めることができる。従って、ピコセルＣ２が移動局９３を収容可能な領域を拡大することができる。この領域の拡大は、ＣＲＥ（Ｃｅｌｌ  Ｒａｎｇｅ  Ｅｘｐａｎｓｉｏｎ）とも表される。
【０００８】
ところで、ＡＢＳに含まれる、参照信号、同期信号、及び、報知信号は、移動局９３における受信品質を低下させる。このため、３ＧＰＰにより規定されたＬＴＥのＲｅｌｅａｓｅ  １１においては、ｆｅＩＣＩＣが提案されている。ｆｅＩＣＩＣは、Ｆｕｒｔｈｅｒ  Ｅｎｈａｎｃｅｄ  ＩＣＩＣの略記である。
【０００９】
ｆｅＩＣＩＣは、干渉セルに関する情報を移動局に通知する。干渉セルは、干渉波の基となる無線信号が送信されるセルである。干渉セルに関する情報は、ＣＲＳ  Ａｓｓｉｓｔａｎｃｅ  Ｉｎｆｏｒｍａｔｉｏｎとも表される。更に、ｆｅＩＣＩＣは、マクロセルにて送信されたＡＢＳに含まれる、参照信号、同期信号、及び、報知信号を移動局の受信処理においてキャンセルする。これにより、移動局における受信品質を高めることができる。従って、ピコセルが移動局を収容可能な領域を拡大することができる。
【００１０】
マクロセルにて送信されたＡＢＳに含まれる、参照信号、同期信号、及び、報知信号をキャンセルする受信装置は、ＩＣ（Ｉｎｔｅｒｆｅｒｅｎｃｅ  Ｃａｎｃｅｌｌｉｎｇ）受信装置とも表される。また、参照信号、同期信号、及び、報知信号をキャンセルすることは、ＣＲＳ−ＩＣ、ＰＳＳ／ＳＳＳ−ＩＣ、及び、ＰＢＣＨ−ＩＣとそれぞれ表される。
【００１１】
一例として、ＩＣ技術の概要について説明する。ＯＦＤＭにおけるｋ番目のサブキャリアの、ｌ番目のシンボル時間のリソースエレメント（ＲＥ；Ｒｅｓｏｕｒｃｅ  Ｅｌｅｍｅｎｔ）における受信信号は、数式１により表される。ＯＦＤＭは、Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇの略記である。ｌ番目のシンボル時間は、時間軸に沿ってｌ番目のＯＦＤＭシンボルに対応する時間である。
【数１】
2016039381.tif 000003
【００１２】
ここで、ｙ（ｋ，ｌ）は、受信信号を表し、Ｎｒ×１のベクトルである。Ｎｒは、移動局が用いる受信アンテナの数を表す。Ｈ（ｋ，ｌ）は、サービングセルにおける基地局と移動局との間のチャネルを表し、Ｎｒ×Ｎｔの行列である。サービングセルは、基地局により形成されるとともに、移動局が当該基地局とデータを送受信するために用いる無線リソースが提供される無線エリアである。Ｎｔは、サービングセルにおいて基地局が用いる送信アンテナの数を表す。
【００１３】
Ｖ（ｋ，ｌ）は、サービングセルにおけるＮｔ×Ｎｓｔｒｅａｍの送信プリコーディング行列を表す。Ｎｓｔｒｅａｍは、希望信号に含まれるストリームの数を表す。希望信号は、サービングセルにおいて基地局が移動局へ送信する無線信号である。希望信号は、送信信号とも表される。ｘ（ｋ，ｌ）は、希望信号を表し、Ｎｓｔｒｅａｍ×１のベクトルである。
【００１４】
Ｎｃｅｌｌは、干渉セルの数を表す。干渉セルは、サービングセルと異なる無線エリアである。Ｈｉ（ｋ，ｌ）は、ｉ番目の干渉セルにおける基地局と移動局との間のチャネルを表し、Ｎｒ×Ｎｔ，ｉの行列である。Ｎｔ，ｉは、ｉ番目の干渉セルにおいて基地局が用いる送信アンテナの数を表す。
【００１５】
ｘｉ（ｋ，ｌ）は、ｉ番目の干渉セルにおいて送信される非希望信号を表し、Ｎｔ，ｉ×１のベクトルである。例えば、非希望信号は、参照信号、同期信号、又は、報知信号である。ｎ（ｋ，ｌ）は、ＡＷＧＮを表し、Ｎｒ×１のベクトルである。ＡＷＧＮは、Ａｄｄｉｔｉｖｅ  Ｗｈｉｔｅ  Ｇａｕｓｓｉａｎ  Ｎｏｉｓｅの略記である。
【００１６】
移動局は、移動局とｉ番目の干渉セルにおける基地局との間のチャネルＨｅ，ｉを推定する。移動局と干渉セルにおける基地局との間のチャネルは、干渉チャネルとも表される。移動局は、数式２に示すように、推定された干渉チャネルＨｅ，ｉを、非希望信号ｘｉに乗じた信号を、受信信号ｙから減じることにより、受信信号から、干渉セルにおいて送信された非希望信号に起因する成分をキャンセルする。推定された干渉チャネルＨｅ，ｉを、非希望信号ｘｉに乗じた信号は、非希望信号のレプリカ信号とも表される。
【数２】
2016039381.tif 000004
【００１７】
ｙＰＣは、受信信号から、干渉セルにおいて送信された非希望信号に起因する成分がキャンセルされた信号を表す。
移動局は、キャンセル後の受信信号ｙＰＣに基づいて、受信処理（例えば、サービングセルにおけるチャネルの推定、受信信号の復調、及び、受信信号に対する誤り訂正復号等）を行なう。
【先行技術文献】
【特許文献】
【００１８】
【特許文献１】特開２００４−２９７４４４号公報
【特許文献２】特開２００３−１１０４６０号公報
【特許文献３】特開２０１３−２４０１０２号公報
【非特許文献】
【００１９】
【非特許文献１】Ｂａｏｊｉｎ  Ｌｉ、外２名、「Ｉｎｔｅｒｆｅｒｅｎｃｅ  Ｃａｎｃｅｌｌａｔｉｏｎ  ｆｏｒ  ＨｅｔＮｅｔ  Ｄｅｐｌｏｙｍｅｎｔ  ｉｎ  ３ＧＰＰ  ＬＴＥ−Ａｄｖａｎｃｅｄ  Ｒｅｌ−１１」、Ｐｒｏｃｅｅｄｉｎｇ  ＩＥＥＥ  Ｖｅｈｉｃｕｌａｒ  Ｔｅｃｈｎｏｌｏｇｙ  Ｃｏｎｆｅｒｅｎｃｅ、ＩＥＥＥ、ｐ．１−５、２０１３年６月
【非特許文献２】Ｊ．Ｃ．Ｈｅｎａｏ、外１５名、「Ａｄｖａｎｃｅｄ  ｒｅｃｅｉｖｅｒ  ｓｉｇｎａｌ  ｐｒｏｃｅｓｓｉｎｇ  ｔｅｃｈｎｉｑｕｅｓ：  ｅｖａｌｕａｔｉｏｎ  ａｎｄ  ｃｈａｒａｃｔｅｒｉｚａｔｉｏｎ」、Ａｄｖａｎｃｅｄ  Ｒａｄｉｏ  Ｉｎｔｅｒｆａｃｅ  Ｔｅｃｈｎｏｌｏｇｉｅｓ  ｆｏｒ  ４Ｇ  Ｓｙｓｔｅｍｓ、［平成２６年７月１５日検索］、インターネット〈URL：https://ict-artist4g.eu/projet/work-packages/wp2/deliverables/d2.2/final/d2.2-1/at_download/file〉
【発明の概要】
【発明が解決しようとする課題】
【００２０】
ところで、干渉チャネルの推定値には、推定誤差が含まれることがある。移動局が干渉チャネルを推定する場合、干渉セルにおいて送信される無線信号の受信強度が、サービングセルにおいて送信される無線信号の受信強度よりも小さくなるほど、推定誤差は大きくなりやすい。
【００２１】
例えば、ドップラー効果により生じるフェージング、又は、周波数選択性フェージングにより、干渉セルにおいて送信される無線信号の受信強度は小さくなりやすい。また、例えば、サービングセルであるピコセル内の移動局が、サービングセルにおける基地局に近づくことにより、サービングセルにおいて送信される無線信号の受信強度は大きくなりやすい。このような場合、干渉セルにおいて送信される無線信号の受信強度は、サービングセルにおいて送信される無線信号の受信強度よりも相対的に小さくなるため、干渉チャネルの推定値に含まれる推定誤差は大きくなりやすい。
【００２２】
干渉チャネルの推定値に含まれる推定誤差により、受信信号から、干渉セルにおいて送信された非希望信号に起因する成分を十分に高い精度にてキャンセルできないことがある。推定誤差が大きくなるほど、受信信号に含まれる、干渉セルにおいて送信された非希望信号に起因する成分が、キャンセル後の受信信号に残留しやすくなる。
【００２３】
ここでは、説明を簡単にするために、干渉セルの数が１つであり、送信アンテナの数が１つであり、受信アンテナの数が１つである場合を想定する。この場合、受信信号は、数式３により表わされる。
【数３】
2016039381.tif 000005
【００２４】
干渉チャネルの推定値ｈｅ，１は、数式４に示すように、干渉チャネルの真値ｈ１と、推定誤差ｍと、の和により表される。
【数４】
2016039381.tif 000006
【００２５】
従って、受信信号ｙからレプリカ信号ｈｅ，１ｘ１を減じた信号は、数式５により表わされる。
【数５】
2016039381.tif 000007
【００２６】
このように、受信信号ｙからレプリカ信号ｈｅ，１ｘ１を減じた信号において、受信信号に含まれる、干渉セルにおいて送信された非希望信号ｘ１に起因する成分ｍｘ１が残留する。その結果、希望信号の受信品質が低下しやすい。
【００２７】
一つの側面では、本発明の目的の一つは、希望信号の受信品質を高めることにある。
【課題を解決するための手段】
【００２８】
一つの側面では、受信装置は、第１の処理部と、第１の推定部と、第２の処理部と、を備える。第１の処理部は、希望信号である第１の信号が送信される第１の無線エリアと異なる第２の無線エリアにて送信された第２の信号に対する第１の復調処理を実行する。第１の推定部は、上記第１の復調処理の実行結果に基づいて、上記第２の無線エリアに対するチャネルを推定する第１の推定処理を実行する。第２の処理部は、上記推定されたチャネルに基づいて、受信信号から、上記第２の無線エリアにて送信された上記第２の信号に起因する成分をキャンセルするキャンセル処理を実行する。受信装置は、上記キャンセル処理の実行結果に基づいて上記希望信号に対する第２の復調処理を実行する。
【発明の効果】
【００２９】
一つの側面として、希望信号の受信品質を高めることができる。
【図面の簡単な説明】
【００３０】
【図１】無線通信システムの一例を示した説明図である。
【図２】ｅＩＣＩＣの一例を示した説明図である。
【図３】第１実施形態に係る無線通信システムの構成例を表すブロック図である。
【図４】図３の基地局の構成例を表すブロック図である。
【図５】図３の移動局の構成例を表すブロック図である。
【図６】図３のスモール基地局の機能例を表すブロック図である。
【図７】ＬＴＥ方式に従ったダウンリンクにおけるサブフレームの無線リソースの割り当ての一例を示した説明図である。
【図８】ＬＴＥ方式に従ったダウンリンクにおけるＡＢＳの無線リソースの割り当ての一例を示した説明図である。
【図９】図３の移動局の機能例を表すブロック図である。
【図１０】図９の復調部の機能例を表すブロック図である。
【図１１】図３の移動局が実行する処理の一例を示したフローチャートである。
【図１２】第２実施形態に係るスモール基地局の機能例を表すブロック図である。
【図１３】ＬＴＥ方式に従ったダウンリンクにおけるＡＢＳの無線リソースの割り当ての一例を示した説明図である。
【図１４】第２実施形態に係る移動局の機能例を表すブロック図である。
【図１５】図１４の復調部の機能例を表すブロック図である。
【発明を実施するための形態】
【００３１】
以下、図面を参照して本発明の実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００３２】
＜第１実施形態＞
（構成）
図３に示すように、第１実施形態に係る無線通信システム１は、Ｌ個の基地局１０−１，…，１０−Ｌと、Ｍ個の移動局２０−１，…，２０−Ｍと、を備える。Ｌは、２以上の整数を表す。Ｍは、１以上の整数を表す。
【００３３】
以下において、基地局１０−ｕは、区別する必要がない場合、基地局１０とも表される。ここで、ｕは、１からＬまでの整数を表す。同様に、移動局２０−ｖは、区別する必要がない場合、移動局２０とも表される。ここで、ｖは、１からＭまでの整数を表す。
基地局１０は、送信装置の一例である。移動局２０は、受信装置の一例である。
【００３４】
本例では、説明を簡単にするため、各基地局１０の送信アンテナの数が１であり、且つ、各移動局２０の受信アンテナの数が１である場合を例にして説明する。なお、各基地局１０の送信アンテナの数は、２以上であってもよく、各移動局２０の受信アンテナの数は、２以上であってもよい。
【００３５】
無線通信システム１は、基地局１０と、移動局２０と、の間で、予め定められた無線通信方式に従った無線通信を行なう。例えば、無線通信方式は、ＬＴＥ方式である。ＬＴＥは、Ｌｏｎｇ  Ｔｅｒｍ  Ｅｖｏｌｕｔｉｏｎの略記である。なお、無線通信方式は、ＬＴＥ方式と異なる方式（例えば、ＬＴＥ−Ａｄｖａｎｃｅｄ、又は、ＷｉＭＡＸ等の方式）であってもよい。ＷｉＭＡＸは、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓの略記である。
【００３６】
本例では、基地局１０−ｕは、無線エリアＷＡ−ｕを形成する。無線エリアＷＡ−ｕは、区別する必要がない場合、無線エリアＷＡとも表される。なお、各基地局１０は、複数の無線エリアを形成してもよい。無線エリアＷＡは、カバレッジ・エリア、又は、通信エリアと表されてもよい。例えば、無線エリアＷＡは、マクロセル、マイクロセル、ナノセル、ピコセル、フェムトセル、ホームセル、スモールセル、又は、セクタセル等のセルと表されてよい。各基地局１０は、自局１０が形成する無線エリアＷＡ内に位置する移動局２０と無線通信を行なう。
【００３７】
具体的には、各基地局１０は、自局１０が形成する無線エリアＷＡにおいて無線リソースを提供する。本例では、無線リソースは、時間及び周波数により識別される。各基地局１０は、自局１０が形成する無線エリアＷＡ内に位置する移動局２０と、当該無線エリアＷＡにおいて提供している無線リソースを用いることにより通信を行なう。なお、各基地局１０は、アクセスポイント、ｅＮＢ（Ｅｖｏｌｖｅｄ  Ｎｏｄｅ  Ｂ）、又は、ＮＢ（Ｎｏｄｅ  Ｂ）であってもよい。
【００３８】
本例では、基地局１０−１は、無線信号の送信電力の最大値が基地局１０−２よりも大きい。従って、基地局１０−１は、基地局１０−２が形成する無線エリアＷＡ−２よりも広い無線エリアＷＡ−１を形成可能である。本例では、基地局１０−１は、マクロ基地局とも表され、基地局１０−２は、スモール基地局とも表される。スモール基地局は、例えば、フェムト基地局、マクロ基地局、マイクロ基地局、ナノ基地局、ピコ基地局、又は、ホーム基地局である。
【００３９】
本例では、スモール基地局１０−２は、マクロ基地局１０−１が形成する無線エリアＷＡ−１内に配置されている。更に、スモール基地局１０−２が形成する無線エリアＷＡ−２は、マクロ基地局１０−１が形成する無線エリアＷＡ−１内に位置している。無線エリアＷＡ−１は、第２の無線エリアの一例である。無線エリアＷＡ−１は、マクロセルとも表される。無線エリアＷＡ−２は、第１の無線エリアの一例である。無線エリアＷＡ−２は、マイクロセルとも表される。
【００４０】
本例では、移動局２０−１，…，２０−Ｍのそれぞれは、スモール基地局１０−２が形成する無線エリアＷＡ−２内に位置している。
【００４１】
また、本例では、各基地局１０は、通信回線を介して有線通信可能に通信網（例えば、コアネットワーク）ＮＷに接続されている。なお、各基地局１０は、無線通信可能に通信網ＮＷに接続されていてもよい。基地局１０と通信網ＮＷとの間のインタフェースは、Ｓ１インタフェースと表されてもよい。また、基地局１０間のインタフェースは、Ｘ２インタフェースと表されてもよい。
【００４２】
無線通信システム１のうちの基地局１０よりも通信網（即ち、上位）ＮＷ側の部分は、ＥＰＣと表されてもよい。ＥＰＣは、Ｅｖｏｌｖｅｄ  Ｐａｃｋｅｔ  Ｃｏｒｅの略記である。無線通信システム１のうちの基地局１０により形成される部分は、Ｅ−ＵＴＲＡＮと表されてもよい。Ｅ−ＵＴＲＡＮは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋの略記である。
【００４３】
移動局２０は、自局２０が位置する無線エリアＷＡにおいて提供されている無線リソースを用いて、当該無線エリアＷＡを形成する基地局１０と無線通信を行なう。なお、移動局２０は、無線端末、無線機器、無線装置、移動端末、端末装置、又は、ユーザ端末（ＵＥ；Ｕｓｅｒ  Ｅｑｕｉｐｍｅｎｔ）と表されてもよい。例えば、移動局２０は、携帯電話機、スマートフォン、センサ、又は、メータ（測定器）等である。移動局２０は、ユーザによって携帯されていてもよいし、車両等の移動体に搭載されていてもよいし、固定されていてもよい。
【００４４】
本例では、移動局２０を収容する無線エリアＷＡは、サービングセルとも表される。無線エリアＷＡにて移動局２０が収容されることの一例は、移動局２０が当該無線エリアＷＡにて提供される無線リソースを用いて、当該無線エリアＷＡを形成する基地局１０とデータを送受信可能に、当該基地局１０と接続されていることである。
また、本例では、移動局２０を収容する無線エリアＷＡと異なる無線エリアＷＡは、干渉セルとも表される。
【００４５】
本例では、サービングセルにおいて基地局１０により送信される無線信号は、サービングセルに収容された移動局２０に対する希望信号である。希望信号は、第１の信号の一例である。また、本例では、干渉セルにおいて基地局１０により送信される無線信号は、サービングセルに収容された移動局２０に対する非希望信号である。非希望信号は、干渉波と表されてもよい。
【００４６】
（構成：基地局）
図４に示すように、基地局１０−ｕは、例示的に、プロセッサ１１と、記憶装置１２と、ＮＩＦ回路１３と、ＬＳＩ１４と、無線処理回路１５と、Ｐ個のアンテナ１６−１，…，１６−Ｐと、を備える。本例では、Ｐは、２以上の整数を表す。以下において、アンテナ１６−１，…，１６−Ｐは、区別する必要がない場合、アンテナ１６とも表される。ＮＩＦは、Ｎｅｔｗｏｒｋ  Ｉｎｔｅｒｆａｃｅの略記である。ＬＳＩは、Ｌａｒｇｅ  Ｓｃａｌｅ  Ｉｎｔｅｇｒａｔｉｏｎの略記である。
【００４７】
プロセッサ１１は、記憶装置１２に記憶されているプログラムを実行することにより、基地局１０−ｕの動作を制御する。
ＮＩＦ回路１３は、移動局２０へ送信するデータを通信網ＮＷから受信する。更に、ＮＩＦ回路１３は、移動局２０から受信したデータを通信網ＮＷへ送信する。加えて、ＮＩＦ回路１３は、制御情報を通信網ＮＷと送受信する。例えば、制御情報は、自局１０が形成する無線エリアＷＡと異なる無線エリアＷＡを形成する他の基地局１０を識別する情報を含んでよい。
【００４８】
ＬＳＩ１４は、無線通信を行なうためにデジタル信号を処理する。なお、ＬＳＩ１４は、プログラム可能な論理回路装置（例えば、ＰＬＤ、又は、ＦＰＧＡ）であってもよい。ＰＬＤは、Ｐｒｏｇｒａｍｍａｂｌｅ  Ｌｏｇｉｃ  Ｄｅｖｉｃｅの略記である。ＦＰＧＡは、Ｆｉｅｌｄ−Ｐｒｏｇｒａｍｍａｂｌｅ  Ｇａｔｅ  Ａｒｒａｙの略記である。
無線処理回路１５は、アンテナ１６−１，…，１６−Ｐを介した無線通信を行なう。
ＬＳＩ１４及び無線処理回路１５の機能の詳細については後述する。
【００４９】
（構成：移動局）
図５に示すように、移動局２０−ｖは、例示的に、プロセッサ２１と、記憶装置２２と、ＬＳＩ２３と、無線処理回路２４と、Ｑ個のアンテナ２５−１，…，２５−Ｑと、を備える。本例では、Ｑは、２以上の整数を表す。以下において、アンテナ２５−１，…，２５−Ｑは、区別する必要がない場合、アンテナ２５とも表される。
【００５０】
プロセッサ２１は、記憶装置２２に記憶されているプログラムを実行することにより、移動局２０−ｖの動作を制御する。
ＬＳＩ２３は、無線通信を行なうためにデジタル信号を処理する。なお、ＬＳＩ２３は、プログラム可能な論理回路装置（例えば、ＰＬＤ、又は、ＦＰＧＡ）であってもよい。
無線処理回路２４は、アンテナ２５−１，…，２５−Ｑを介した無線通信を行なう。
ＬＳＩ２３及び無線処理回路２４の機能の詳細については後述する。
【００５１】
（機能：基地局）
図６に示すように、スモール基地局１０−２のＬＳＩ１４及び無線処理回路１５の機能は、例示的に、無線処理部１０１と、アップリンク受信部１０２と、ダウンリンク送信部１０３と、無線処理部１０４と、を含む。無線処理部１０４は、送信部の一例である。
【００５２】
本例では、無線処理部１０１は、１つのアンテナ１６−２を介して無線信号を受信する。なお、無線処理部１０１は、複数のアンテナ１６−２，…，１６−Ｐを介して無線信号を受信してもよい。
無線処理部１０１は、アンテナ１６−２を介して受信した無線信号に対して、無線周波数帯域から基底帯域への周波数変換（ここでは、ダウンコンバージョン）を行なう。無線処理部１０１は、周波数変換後の信号に対して、Ａ／Ｄ変換を行なう。Ａ／Ｄは、Ａｎａｌｏｇ  ｔｏ  Ｄｉｇｉｔａｌの略記である。
【００５３】
アップリンク受信部１０２は、無線処理部１０１により出力された信号を処理する。この処理は、例えば、復調、及び、誤り訂正復号を含む。
このようにして、無線処理部１０１及びアップリンク受信部１０２は、移動局２０により送信されたアップリンク信号を受信する。
【００５４】
ダウンリンク送信部１０３は、例示的に、データ生成部１１１と、干渉セルＣＲＳ情報生成部１１２と、誤り訂正符号化部１１３と、変調部１１４と、ＣＲＳ生成部１１５と、チャネル多重部１１６と、ＩＦＦＴ部１１７と、ＣＰ付加部１１８と、を含む。ＩＦＦＴは、Ｉｎｖｅｒｓｅ  Ｆａｓｔ  Ｆｏｕｒｉｅｒ  Ｔｒａｎｓｆｏｒｍの略記である。ＣＰは、Ｃｙｃｌｉｃ  Ｐｒｅｆｉｘの略記である。
【００５５】
データ生成部１１１は、移動局２０を宛先とするデータを生成する。
干渉セルＣＲＳ情報生成部１１２は、干渉セルＣＲＳ情報を生成する。本例では、干渉セルＣＲＳ情報は、干渉セルを識別するセルＩＤと、干渉セルにおいて用いられる送信アンテナの数と、ＭＢＳＦＮサブフレーム割当情報と、を含む。ＭＢＳＦＮは、Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋの略記である。
【００５６】
本例では、ＭＢＳＦＮサブフレーム割当情報は、ＭＢＳＦＮに割り当てられるサブフレームを識別する情報を含む。本例では、ＭＢＳＦＮに割り当てられるサブフレームにおいては、先頭のシンボル時間にＣＲＳが割り当てられ、先頭のシンボル時間よりも後のシンボル時間にはＣＲＳが割り当てられない。
【００５７】
なお、スモール基地局１０−２は、干渉セルＣＲＳ情報を予め保持していてもよい。また、スモール基地局１０−２は、干渉セルＣＲＳ情報を、通信網ＮＷに接続された制御局、又は、他の基地局１０等から受信してもよい。
干渉セルＣＲＳ情報は、例えば、ＲＲＣ情報として、移動局２０へ送信されてよい。ＲＲＣは、Ｒａｄｉｏ  Ｒｅｓｏｕｒｃｅ  Ｃｏｎｔｒｏｌの略記である。
【００５８】
誤り訂正符号化部１１３は、データ生成部１１１により生成されたデータと、干渉セルＣＲＳ情報生成部１１２により生成された干渉セルＣＲＳ情報と、に対して誤り訂正符号化を行なう。例えば、誤り訂正符号は、ターボ符号である。なお、誤り訂正符号は、リード・ソロモン符号、又は、畳み込み符号等であってもよい。
【００５９】
変調部１１４は、誤り訂正符号化部１１３による符号化後のデータに対して変調を行なう。例えば、変調は、ＱＰＳＫ、１６ＱＡＭ、又は、６４ＱＡＭ等の多値変調方式を含む変調方式に従ってよい。ＱＰＳＫは、Ｑｕａｄｒｉｐｈａｓｅ  Ｐｈａｓｅ−Ｓｈｉｆｔ  Ｋｅｙｉｎｇの略記である。ＱＡＭは、Ｑｕａｄｒａｔｕｒｅ  Ａｍｐｌｉｔｕｄｅ  Ｍｏｄｕｌａｔｉｏｎの略記である。本例では、変調部１１４は、変調後のデータとして変調シンボルを出力する。
【００６０】
ＣＲＳ生成部１１５は、セルを識別可能な参照信号（ＣＲＳ）を生成する。本例では、基地局１０及び移動局２０のそれぞれは、参照信号を予め知っている。例えば、基地局１０及び移動局２０のそれぞれは、参照信号を予め保持してもよく、参照信号を生成可能であってもよい。
【００６１】
チャネル多重部１１６は、移動局２０を宛先とするデータと、参照信号と、を多重する。本例では、チャネル多重部１１６は、変調部１１４による変調後のデータと、ＣＲＳ生成部１１５により生成されたＣＲＳと、を多重する。
【００６２】
図７は、ＬＴＥ方式に従ったダウンリンクのサブフレームにおける無線リソースの割り当ての一例を示す。図７においては、Ｎｏｒｍａｌ  ＣＰが用いられるとともに送信アンテナの数が１である場合が想定される。なお、無線リソースの割り当ては、図７と異なっていてもよい。
【００６３】
本例では、無線リソースは、時間及び周波数により識別される。ＯＦＤＭにおける１つのサブキャリアの、１つのＯＦＤＭシンボルの時間に対応する無線リソースは、リソースエレメント（ＲＥ；Ｒｅｓｏｕｒｃｅ  Ｅｌｅｍｅｎｔ）と表される。換言すると、無線リソースは、時間及び周波数の組み合わせが互いに異なる複数のＲＥを含む。本例では、時間軸に沿って連続する７個のＲＥに対応する期間は、スロットと表される。また、時間軸に沿って連続する２つのスロットは、１つのサブフレームを形成する。
【００６４】
本例では、時間軸において１つのスロットに含まれるＲＥのうちの、周波数軸に沿って連続する１２個のサブキャリアに対応するＲＥは、リソースブロック（ＲＢ；Ｒｅｓｏｕｒｃｅ  Ｂｌｏｃｋ）と表される。従って、本例では、１つのＲＢは、８４（＝１２×７）個のＲＥからなる。
【００６５】
図７に示すように、０番目及び６番目のサブキャリアのＲＥのうちの、０番目及び７番目のシンボル時間のＲＥがＣＲＳに割り当てられる。ｌ番目のシンボル時間は、時間軸に沿ってｌ番目のＯＦＤＭシンボルに対応する時間である。また、３番目及び９番目のサブキャリアのＲＥのうちの、４番目及び１１番目のシンボル時間のＲＥがＣＲＳに割り当てられる。
【００６６】
また、サブフレームの先頭の０番目から３番目までのシンボル時間のＲＥのうちの、ＣＲＳに割り当てられたＲＥと異なるＲＥが、ＰＤＣＣＨに割り当てられる。ＰＤＣＣＨは、Ｐｈｙｓｉｃａｌ  Ｄｏｗｎｌｉｎｋ  Ｃｏｎｔｒｏｌ  Ｃｈａｎｎｅｌの略記である。ＰＤＣＣＨは、制御チャネルの一例である。制御チャネルは、制御情報を伝達するためのチャネルである。
【００６７】
図７に示す２つのＲＢ３１及び３２に含まれるＲＥのうちの、ＰＤＣＣＨ及びＣＲＳに割り当てられたＲＥと異なるＲＥが、ＰＤＳＣＨに割り当てられる。ＰＤＳＣＨは、Ｐｈｙｓｉｃａｌ  Ｄｏｗｎｌｉｎｋ  Ｓｈａｒｅｄ  Ｃｈａｎｎｅｌの略記である。ＰＤＳＣＨは、データチャネルの一例である。データチャネルは、移動局２０を宛先とするデータを伝達するためのチャネルである。
【００６８】
図６のＩＦＦＴ部１１７は、チャネル多重部１１６による多重後の信号に対して、逆高速フーリエ変換（ＩＦＦＴ）を行なう。
ＣＰ付加部１１８は、ＩＦＦＴ部１１７によるＩＦＦＴ後の信号にＣＰを付加することにより、ＯＦＤＭシンボルを生成する。
【００６９】
無線処理部１０４は、ダウンリンク送信部１０３により出力された信号に対して、Ｄ／Ａ変換を行なう。Ｄ／Ａは、Ｄｉｇｉｔａｌ  ｔｏ  Ａｎａｌｏｇの略記である。無線処理部１０４は、Ｄ／Ａ変換後の信号に対して、基底帯域から無線周波数帯域への周波数変換（ここでは、アップコンバージョン）を行なう。無線処理部１０４は、周波数変換後の信号を、アンテナ１６−１を介して送信する。
【００７０】
なお、無線処理部１０４は、図４の複数のアンテナ１６−１，…，１６−Ｐを介して無線信号を送信してもよい。また、無線処理部１０１及び無線処理部１０４は、複数のアンテナ１６−１，…，１６−Ｐの少なくとも１つを共用してもよい。
【００７１】
本例では、マクロ基地局１０−１も、スモール基地局１０−２と同様の機能を有する。なお、マクロ基地局１０−１においては、干渉セルＣＲＳ情報生成部１１２は、不要とされてよい。
【００７２】
また、マクロ基地局１０−１は、ＡＢＳを送信してもよい。
図８は、ＬＴＥ方式に従ったダウンリンクのＡＢＳにおける無線リソースの割り当ての一例を示す。図８においては、図７と同様に、Ｎｏｒｍａｌ  ＣＰが用いられるとともに送信アンテナの数が１である場合が想定される。なお、無線リソースの割り当ては、図８と異なっていてもよい。
【００７３】
図８に示すように、ＡＢＳにおいては、図７の場合と同様に、ＣＲＳにＲＥが割り当てられる。ＡＢＳにおいては、図７の場合と相違して、ＡＢＳに含まれるＲＥのうちの、ＣＲＳに割り当てられたＲＥと異なるＲＥには、ブランク信号が割り当てられる。本例では、ブランク信号の送信は、搬送波が変調されることなく送信されること、又は、予め定められたダミー信号の送信を表す。なお、ＡＢＳにおいては、同期信号及び報知信号にＲＥが割り当てられてよい。本例では、参照信号及び同期信号のそれぞれは、基地局１０及び移動局２０のそれぞれにより予め知られている既知信号の一例である。
【００７４】
（機能：移動局）
移動局２０−ｖの、図５のＬＳＩ２３及び無線処理回路２４の機能は、図９に示すように、例示的に、アップリンク送信部２０１と、無線処理部２０２と、無線処理部２０３と、ダウンリンク受信部２０４と、を含む。無線処理部２０３は、受信部の一例である。
【００７５】
アップリンク送信部２０１は、基地局１０を宛先とするデータを生成し、生成したデータに対して誤り訂正符号化を行ない、符号化後のデータに対して変調を行なう。
【００７６】
無線処理部２０２は、アップリンク送信部２０１による変調後の信号に対して、Ｄ／Ａ変換を行なう。無線処理部２０２は、Ｄ／Ａ変換後の信号に対して、基底帯域から無線周波数帯域への周波数変換（ここでは、アップコンバージョン）を行なう。無線処理部２０２は、周波数変換後の信号を、アンテナ２５−２を介して送信する。なお、無線処理部２０２は、図５の複数のアンテナ２５−２，…，２５−Ｑを介して無線信号を送信してもよい。
このようにして、アップリンク送信部２０１及び無線処理部２０２は、アップリンク信号を基地局１０へ送信する。
【００７７】
本例では、無線処理部２０３は、１つのアンテナ２５−１を介して無線信号を受信する。なお、無線処理部２０３は、複数のアンテナ２５−１，…，２５−Ｑを介して無線信号を受信してもよい。また、無線処理部２０２及び無線処理部２０３は、複数のアンテナ２５−１，…，２５−Ｑの少なくとも１つを共用してもよい。
【００７８】
無線処理部２０３は、アンテナ２５−１を介して受信した無線信号に対して、無線周波数帯域から基底帯域への周波数変換（ここでは、ダウンコンバージョン）を行なう。無線処理部２０３は、周波数変換後の信号に対して、Ａ／Ｄ変換を行なう。
【００７９】
ダウンリンク受信部２０４は、無線処理部２０３により出力された信号を処理する。この処理は、例えば、復調、及び、誤り訂正復号を含む。
ダウンリンク受信部２０４は、例示的に、ＣＰ除去部２１１と、ＦＦＴ部２１２と、デマッピング部２１３と、復調部２１４と、誤り訂正復号部２１５と、を含む。ＦＦＴは、Ｆａｓｔ  Ｆｏｕｒｉｅｒ  Ｔｒａｎｓｆｏｒｍの略記である。
【００８０】
ＣＰ除去部２１１は、無線処理部２０３により出力された信号からＣＰを除去する。ＦＦＴ部２１２は、ＣＰの除去後の信号に対して高速フーリエ変換（ＦＦＴ）を行なう。デマッピング部２１３は、ＦＦＴ部２１２によるＦＦＴ後の信号に対してデマッピングを行なう。例えば、デマッピングは、ＦＦＴ後の信号に含まれる、チャネル毎、又は、ＲＥ毎の成分を取り出す処理を含んでよい。
【００８１】
復調部２１４は、デマッピング部２１３によるデマッピング後の信号に対して復調を行なう。復調部２１４に入力される信号は、受信信号の一例である。復調部２１４の詳細については後述する。誤り訂正復号部２１５は、復調部２１４による復調後の信号に対して誤り訂正復号を行なう。
復調部２１４による復調、及び、誤り訂正復号部２１５による誤り訂正復号は、希望信号に対する第２の復調処理の一例である。
【００８２】
これにより、ダウンリンク受信部２０４は、基地局１０により送信された情報又はデータを再生する。情報又はデータの再生は、情報又はデータの復元と表されてもよい。本例では、誤り訂正復号部２１５は、誤り訂正復号後の情報又はデータのうちの干渉セルＣＲＳ情報を復調部２１４へ通知する。
【００８３】
ここで、復調部２１４の詳細について説明を加える。
図１０に示すように、復調部２１４は、例示的に、干渉セルチャネル推定部２２１と、干渉セル信号復調部２２２と、干渉セル信号誤り訂正復号部２２３と、干渉セル信号誤り訂正符号化部２２４と、干渉セル信号変調部２２５と、を含む。更に、復調部２１４は、例示的に、干渉セルチャネル再推定部２２６と、干渉キャンセル部２２７と、チャネル推定部２２８と、等化部２２９と、を含む。
【００８４】
本例では、復調部２１４は、複数の干渉セルの中から、キャンセル処理の対象の干渉セルを選択する。なお、干渉セルが１つしか存在しない場合、復調部２１４は、１つの干渉セルを、キャンセル処理の対象の干渉セルとして選択してよい。キャンセル処理は、受信信号の入力値から、処理対象の干渉セルにおいて送信された干渉信号に起因する成分をキャンセルする処理である。干渉信号は、第２の信号の一例である。干渉信号は、対象信号と表されてもよい。
【００８５】
本例では、干渉信号は、既知信号と異なる信号である。既知信号と異なる信号は、未知信号と表されてもよい。本例では、干渉信号は、基地局１０から移動局２０への送信前に移動局２０により知られていない信号である。例えば、干渉信号は、報知情報、制御情報、及び、移動局２０を宛先とするデータ、の少なくとも１つを表す信号である。なお、干渉信号は、報知情報、制御情報、又は、移動局２０を宛先とするデータ、を表す信号の一部であってもよい。
【００８６】
例えば、復調部２１４は、干渉セルのうちの受信強度が所定の閾値強度よりも大きい干渉セルを、キャンセル処理の対象の干渉セルとして選択してよい。また、復調部２１４は、干渉セルのうちの、受信強度が大きい方から所定の選択数の干渉セルを、キャンセル処理の対象の干渉セルとして選択してよい。
なお、復調部２１４は、キャンセル処理の対象の干渉セルを選択せずに、すべての干渉セルに対してキャンセル処理を実行してもよい。
【００８７】
本例では、Ｎｃａｎｃｅｌは、選択された干渉セルの数を表す。選択された干渉セルの数Ｎｃａｎｃｅｌは、干渉セルの総数Ｎｃｅｌｌ以下である。
【００８８】
本例では、復調部２１４は、選択された干渉セルに対して、逐次的にキャンセル処理を実行する。例えば、復調部２１４は、ある干渉セルに対するキャンセル処理の処理結果である受信信号の暫定値を、他の干渉セルに対するキャンセル処理における受信信号の入力値として用いる。本例では、復調部２１４は、選択された干渉セルのうちのｉ番目の干渉セルに対するキャンセル処理の処理結果である受信信号の暫定値を、選択された干渉セルのうちのｉ＋１番目の干渉セルに対するキャンセル処理における受信信号の入力値として用いる。ｉは、１からＮｃａｎｃｅｌ−１までの整数を表す。
【００８９】
本例では、復調部２１４は、選択された干渉セルのうちの１番目の干渉セルに対するキャンセル処理における受信信号の入力値として、デマッピング部２１３により出力された受信信号ｙを用いる。
【００９０】
以下、選択された干渉セルのうちのｉ番目の干渉セルに対するキャンセル処理について説明する。
【００９１】
キャンセル処理は、Ｎｄａｔａ個のキャンセル対象ＲＥのそれぞれに対する処理を含む。キャンセル対象ＲＥは、キャンセル処理の対象のＲＥである。本例では、キャンセル対象ＲＥは、干渉信号に割り当てられたＲＥである。本例では、復調部２１４は、干渉セルＣＲＳ情報に基づいて、ｉ番目の干渉セルにおいてキャンセル対象ＲＥを識別する。Ｎｄａｔａは、１以上の整数を表す。キャンセル対象ＲＥの数Ｎｄａｔａは、干渉セル間で異なっていてもよく、干渉セル間で一致していてもよい。
【００９２】
干渉セルチャネル推定部２２１は、ｉ番目の干渉セルにおける基地局１０と移動局２０との間のチャネルを推定する。本例では、干渉セルチャネル推定部２２１は、ｉ番目の干渉セルにおけるＮＲＳ個のＣＲＳ割当ＲＥに対する受信信号の入力値を用いることにより、Ｎｅｓｔ個の推定対象ＲＥのそれぞれに対するチャネルの推定を行なう。
【００９３】
ＣＲＳ割当ＲＥは、ＣＲＳに割り当てられるＲＥである。本例では、ＣＲＳ割当ＲＥは、干渉セルＣＲＳ情報に基づいて識別されてよい。推定対象ＲＥは、チャネルを推定する対象のＲＥである。本例では、推定対象ＲＥは、干渉信号に割り当てられたＲＥ（換言すると、キャンセル対象ＲＥ）のうちの少なくとも一部のＲＥである。
【００９４】
Ｎｅｓｔ及びＮＲＳのそれぞれは、１以上の整数を表す。本例では、Ｎｅｓｔは、Ｎｄａｔａ以下である。本例では、チャネルの推定には、周波数及び時間が推定対象ＲＥに近い方からＮＲＳ個のＣＲＳ割当ＲＥに対する受信信号が用いられる。
【００９５】
後述する干渉キャンセル部２２７によりキャンセル後の受信信号ｙ’が出力されるＲＥに対して、ｉ番目の干渉セルに対するチャネルの推定に用いられる受信信号は、キャンセル後の受信信号ｙ’である。後述する干渉キャンセル部２２７によりキャンセル後の受信信号ｙ’が出力されるＲＥと異なるＲＥに対して、ｉ番目の干渉セルに対するチャネルの推定に用いられる受信信号は、復調部２１４に入力された受信信号ｙである。
【００９６】
本例では、干渉セルチャネル推定部２２１は、数式６に基づいて、ｉ番目の干渉セルにおける、Ｎｅｓｔ個の推定対象ＲＥに対するチャネルｈｅ，ｉ（１ｓｔ）を推定する。
【数６】
2016039381.tif 000008
【００９７】
ここで、ＡＨは、行列Ａのエルミート共役（換言すると、複素転置共役）を表す。ｈｅ，ｉ（１ｓｔ）は、数式７により表される。ｈｅ，ｉ（１ｓｔ）のｐ行目の要素は、Ｎｅｓｔ個の推定対象ＲＥのうちのｐ番目の推定対象ＲＥに対するチャネルを表す。ｐは、１からＮｅｓｔまでの整数を表す。
【数７】
2016039381.tif 000009
【００９８】
また、ｙ（ＣＲＳ）は、数式８により表される。ｙ（ＣＲＳ）のｑ行目の要素は、ＮＲＳ個のＣＲＳ割当ＲＥのうちのｑ番目のＣＲＳ割当ＲＥに対する受信信号を表す。ｑは、１からＮＲＳまでの整数を表す。
【数８】
2016039381.tif 000010
【００９９】
また、Ｘｉ（ＣＲＳ）は、数式９により表される、ＮＲＳ行ＮＲＳ列の対角行列である。ｘｉ（ＣＲＳ）（ｑ）は、チャネルの推定に用いられるＮＲＳ個のＣＲＳ割当ＲＥのうちの、ｑ番目のＣＲＳ割当ＲＥに割り当てられるＣＲＳを表す。また、Ｅ｛｜ｘｉ（ＣＲＳ）（１）｜２｝＝Ｅ｛｜ｘｉ（ＣＲＳ）（２）｜２｝＝・・・＝Ｅ｛｜ｘｉ（ＣＲＳ）（ＮＲＳ）｜２｝＝Ｅ｛｜ｘｉ（ＣＲＳ）｜２｝とおく。ここで、Ｅ｛Ａ｝は、Ａの平均値を表す。
【数９】
2016039381.tif 000011
【０１００】
また、Ｗ（１ｓｔ）は、Ｎｅｓｔ行ＮＲＳ列のチャネル推定重み行列を表す。チャネル推定重み行列Ｗ（１ｓｔ）のｐ行目の行ベクトルは、Ｎｅｓｔ個の推定対象ＲＥのうちのｐ番目の推定対象ＲＥに対する重みベクトルを表す。重みベクトルのｑ列目の要素は、チャネルの推定に用いられるＮＲＳ個のＣＲＳ割当ＲＥのうちの、ｑ番目のＣＲＳ割当ＲＥに対する重み係数を表す。重み係数は、チャネルの推定方式に従って予め定められてよい。重み係数は、タップ係数とも呼ばれる。
【０１０１】
干渉セルチャネル推定部２２１による、干渉セルにおける基地局１０と移動局２０との間のチャネルの推定は、第２の推定処理の一例である。干渉セルチャネル推定部２２１は、第２の推定処理を実行する第２の推定部の一例である。
【０１０２】
干渉セル信号復調部２２２は、干渉セルチャネル推定部２２１により推定されたチャネルの推定値ｈｅ，ｉ（１ｓｔ）に基づいて、ｉ番目の干渉セルにおけるＮｄａｔａ個のキャンセル対象ＲＥに対する受信信号に対して復調を行なう。
【０１０３】
干渉セル信号誤り訂正復号部２２３は、干渉セル信号復調部２２２による復調後の信号に対して誤り訂正復号を行なう。これにより、干渉セル信号誤り訂正復号部２２３は、ｉ番目の干渉セルにおいて基地局１０により送信された干渉信号が表す情報又はデータを再生する。
【０１０４】
干渉セル信号復調部２２２による復調、及び、干渉セル信号誤り訂正復号部２２３による誤り訂正復号は、干渉信号に対する第１の復調処理の一例である。干渉セル信号誤り訂正復号部２２３により再生された情報又はデータは、第１の復調処理の実行結果の一例である。干渉セル信号復調部２２２及び干渉セル信号誤り訂正復号部２２３は、第１の復調処理を実行する第１の処理部の一例である。
【０１０５】
なお、誤り訂正符号化が実行されずに基地局１０により干渉信号が送信される場合、第１の復調処理は、誤り訂正復号を含まなくてよい。この場合、復調部２１４は、干渉セル信号誤り訂正復号部２２３を不要としてよい。
【０１０６】
干渉セル信号誤り訂正符号化部２２４は、干渉セル信号誤り訂正復号部２２３により再生された情報又はデータに対して誤り訂正符号化を行なう。なお、誤り訂正符号化が実行されずに基地局１０により干渉信号が送信される場合、復調部２１４は、干渉セル信号誤り訂正符号化部２２４を不要としてよい。
【０１０７】
干渉セル信号変調部２２５は、干渉セル信号誤り訂正符号化部２２４による符号化後の情報又はデータに対して変調を行なう。これにより、干渉セル信号変調部２２５は、基地局１０により送信された干渉信号を生成する。干渉セル信号変調部２２５により生成された干渉信号は、トレーニング信号と表されてもよい。
【０１０８】
干渉セルチャネル再推定部２２６は、ｉ番目の干渉セルにおける基地局１０と移動局２０との間のチャネルを再び推定する。本例では、干渉セルチャネル再推定部２２６は、生成された干渉信号と、ｉ番目の干渉セルにおけるＮｄａｔａ個のキャンセル対象ＲＥに対する受信信号の入力値と、を用いることにより、Ｎｅｓｔ個の推定対象ＲＥのそれぞれに対するチャネルの再推定を行なう。
【０１０９】
後述する干渉キャンセル部２２７によりキャンセル後の受信信号ｙ’が出力されるＲＥに対して、ｉ番目の干渉セルに対するチャネルの再推定に用いられる受信信号は、キャンセル後の受信信号ｙ’である。後述する干渉キャンセル部２２７によりキャンセル後の受信信号ｙ’が出力されるＲＥと異なるＲＥに対して、ｉ番目の干渉セルに対するチャネルの再推定に用いられる受信信号は、復調部２１４に入力された受信信号ｙである。
【０１１０】
本例では、干渉セルチャネル再推定部２２６は、数式１０に基づいて、ｉ番目の干渉セルにおける、Ｎｅｓｔ個の推定対象ＲＥに対するチャネルｈｅ，ｉ（２ｎｄ）を推定する。
【数１０】
2016039381.tif 000012
【０１１１】
ｈｅ，ｉ（２ｎｄ）は、数式１１により表される。ｈｅ，ｉ（２ｎｄ）のｐ行目の要素は、Ｎｅｓｔ個の推定対象ＲＥのうちのｐ番目の推定対象ＲＥに対するチャネルを表す。
【数１１】
2016039381.tif 000013
【０１１２】
また、ｙ（ｄａｔａ）は、数式１２により表される。ｙ（ｄａｔａ）のｗ行目の要素は、Ｎｄａｔａ個のキャンセル対象ＲＥのうちのｗ番目のキャンセル対象ＲＥに対する受信信号を表す。ｗは、１からＮｄａｔａまでの整数を表す。
【数１２】
2016039381.tif 000014
【０１１３】
また、Ｘｉ（ｄａｔａ）は、数式１３により表される、Ｎｄａｔａ行Ｎｄａｔａ列の対角行列である。ｘｉ（ｄａｔａ）（ｗ）は、チャネルの推定に用いられるＮｄａｔａ個のキャンセル対象ＲＥのうちの、ｗ番目のキャンセル対象ＲＥに割り当てられるとともに、干渉セル信号変調部２２５により生成された干渉信号を表す。また、Ｅ｛｜ｘｉ（ｄａｔａ）（１）｜２｝＝Ｅ｛｜ｘｉ（ｄａｔａ）（２）｜２｝＝・・・＝Ｅ｛｜ｘｉ（ｄａｔａ）（Ｎｄａｔａ）｜２｝＝Ｅ｛｜ｘｉ（ｄａｔａ）｜２｝とおく。
【数１３】
2016039381.tif 000015
【０１１４】
また、Ｗｉ（２ｎｄ）は、ｉ番目の干渉セルに対する、Ｎｅｓｔ行Ｎｄａｔａ列のチャネル推定重み行列を表す。チャネル推定重み行列Ｗｉ（２ｎｄ）のｐ行目の行ベクトルは、Ｎｅｓｔ個の推定対象ＲＥのうちのｐ番目の推定対象ＲＥに対する重みベクトルを表す。重みベクトルのｗ列目の要素は、チャネルの推定に用いられるＮｄａｔａ個のキャンセル対象ＲＥのうちの、ｗ番目のキャンセル対象ＲＥに対する重み係数を表す。
【０１１５】
本例では、Ｎｄａｔａは、ＮＲＳよりも大きい。従って、干渉セルチャネル再推定部２２６によるチャネルの推定精度は、干渉セルチャネル推定部２２１によるチャネルの推定精度よりも高い。
また、本例では、干渉セルチャネル再推定部２２６がチャネルの推定に用いるＲＥの周波数及び時間は、干渉セルチャネル推定部２２１よりも推定対象ＲＥに近い。従って、干渉セルチャネル再推定部２２６によるチャネルの推定精度は、干渉セルチャネル推定部２２１によるチャネルの推定精度よりも高い。
【０１１６】
干渉セルチャネル再推定部２２６による、干渉セルにおける基地局１０と移動局２０との間のチャネルの推定は、第１の推定処理の一例である。干渉セルチャネル再推定部２２６は、第１の推定処理を実行する第１の推定部の一例である。
【０１１７】
干渉キャンセル部２２７は、受信信号の入力値ｙと、干渉セルチャネル再推定部２２６により推定されたチャネルｈｅ，ｉ（２ｎｄ）と、干渉セル信号変調部２２５により生成された干渉信号ｘｉ（ｄａｔａ）と、数式１４と、に基づいて受信信号の暫定値ｙ’を算出する。
【数１４】
2016039381.tif 000016
【０１１８】
ｋ及びｌは、ＲＥの、サブキャリアの番号及びシンボル時間の番号をそれぞれ表す。本例では、受信信号の暫定値ｙ’の算出は、ｉ番目の干渉セルにおけるキャンセル対象ＲＥのそれぞれに対して行なわれる。従って、数式１４において、ｋ及びｌの、Ｎｄａｔａ個の組み合わせは、ｉ番目の干渉セルにおける、Ｎｄａｔａ個のキャンセル対象ＲＥを識別する。
【０１１９】
Ｒｉ（ｄａｔａ）（ｋ，ｌ）は、ｉ番目の干渉セルにおいて、Ｎｄａｔａ個のキャンセル対象ＲＥのうちの、サブキャリアの番号ｋ及びシンボル時間の番号ｌにより識別されるＲＥの番号を表す。Ｒｉ（ｅｓｔ）（ｋ，ｌ）は、ｉ番目の干渉セルにおいて、Ｎｅｓｔ個の推定対象ＲＥのうちの、周波数及び時間が、サブキャリアの番号ｋ及びシンボル時間の番号ｌにより識別されるＲＥと最も近いＲＥの番号を表す。
【０１２０】
ｙ（ｋ，ｌ）は、サブキャリアの番号ｋ及びシンボル時間の番号ｌにより識別されるＲＥに対する受信信号の入力値を表す。ｙ’（ｋ，ｌ）は、サブキャリアの番号ｋ及びシンボル時間の番号ｌにより識別されるＲＥに対する受信信号の暫定値を表す。
【０１２１】
干渉キャンセル部２２７は、数式１４に示すように、ｉ番目の干渉セルにおける干渉信号のレプリカ信号を、受信信号ｙから減じる。これにより、干渉キャンセル部２２７は、受信信号から、ｉ番目の干渉セルにおいて送信された干渉信号に起因する成分をキャンセルする。本例では、干渉信号のレプリカ信号は、ｉ番目の干渉セルにおける基地局１０と移動局２０との間のチャネルの推定値ｈｅ，ｉ（２ｎｄ）を、ｉ番目の干渉セルにおいて送信される干渉信号ｘｉ（ｄａｔａ）に乗じた信号である。
【０１２２】
干渉キャンセル部２２７は、Ｎｃａｎｃｅｌ番目の干渉セルに対するキャンセル処理において算出された受信信号の暫定値ｙ’をキャンセル後の受信信号ｙ’として出力する。
なお、干渉キャンセル部２２７は、干渉信号に対するキャンセル処理に加えて、ＣＲＳに対するキャンセル処理を行なってもよい。また、干渉キャンセル部２２７は、干渉信号に対するキャンセル処理に加えて、同期信号に対するキャンセル処理を行なってもよい。
干渉キャンセル部２２７は、キャンセル処理を実行する第２の処理部の一例である。
【０１２３】
図１０のチャネル推定部２２８は、サービングセルにおける基地局１０と移動局２０との間のチャネルを推定する。本例では、チャネル推定部２２８は、サービングセルにおけるＣＲＳ割当ＲＥに対する受信信号を用いることにより、チャネルの推定を行なう。例えば、チャネル推定部２２８は、サービングセルにおけるＣＲＳ割当ＲＥに対するチャネルの推定を行なってよい。
【０１２４】
干渉キャンセル部２２７によりキャンセル後の受信信号ｙ’が出力されるＲＥに対して、サービングセルに対するチャネルの推定に用いられる受信信号は、キャンセル後の受信信号ｙ’である。干渉キャンセル部２２７によりキャンセル後の受信信号ｙ’が出力されるＲＥと異なるＲＥに対して、サービングセルに対するチャネルの推定に用いられる受信信号は、復調部２１４に入力された受信信号ｙである。
【０１２５】
等化部２２９は、受信信号と、チャネル推定部２２８により推定されたチャネルの推定値と、を用いることにより、受信信号を等化する。干渉キャンセル部２２７によりキャンセル後の受信信号ｙ’が出力されるＲＥに対して、受信信号の等化に用いられる受信信号は、キャンセル後の受信信号ｙ’である。干渉キャンセル部２２７によりキャンセル後の受信信号ｙ’が出力されるＲＥと異なるＲＥに対して、受信信号の等化に用いられる受信信号は、復調部２１４に入力された受信信号ｙである。
【０１２６】
等化部２２９は、等化後の受信信号に基づいて、軟判定復号用のＬＬＲ（Ｌｏｇ  Ｌｉｋｅｌｉｈｏｏｄ  Ｒａｔｉｏ）を算出する。例えば、等化部２２９は、特許第５３２６９７６号公報に記載された方法を用いることにより、ＬＬＲの算出を行なってよい。
【０１２７】
（動作）
次に、無線通信システム１の動作について説明する。ここでは、無線通信システム１の動作のうちの、移動局２０−１における復調に係る部分について説明する。
【０１２８】
移動局２０−１は、図１１にフローチャートにより示す処理を実行する。
本例では、複数の干渉セルのうちの、キャンセル処理の対象の干渉セルを選択する（図１１のステップＳ１０１）。
【０１２９】
次いで、移動局２０−１は、選択された干渉セルのそれぞれを１つずつ順に処理対象とするループ処理（図１１のステップＳ１０２〜ステップＳ１０７）を実行する。
【０１３０】
ループ処理において、先ず、移動局２０−１は、処理対象の干渉セルにおける基地局１０と移動局２０−１との間のチャネルである干渉セルのチャネルを推定する（図１１のステップＳ１０３）。本例では、移動局２０−１は、処理対象の干渉セルにおいて基地局１０により送信されたＣＲＳに基づいて、当該干渉セルにおける推定対象ＲＥに対するチャネルを推定する。
【０１３１】
移動局２０−１は、干渉セルのチャネルの推定値に基づいて、キャンセル対象ＲＥに対する受信信号に対して復調を行なう。更に、移動局２０−１は、復調後の信号に対して誤り訂正復号を行なう。これにより、移動局２０−１は、干渉セルにおいて基地局１０により送信された干渉信号が表す情報又はデータを再生する。
【０１３２】
更に、移動局２０−１は、再生された情報又はデータに対して誤り訂正符号化を行なう。加えて、移動局２０−１は、符号化後の情報又はデータに対して変調を行なう。これにより、移動局２０−１は、基地局１０により送信された干渉信号を生成する（図１１のステップＳ１０４）。
【０１３３】
更に、移動局２０−１は、干渉セルのチャネルを再び推定する（図１１のステップＳ１０５）。本例では、移動局２０−１は、生成した干渉信号に基づいて、干渉セルにおける推定対象ＲＥに対するチャネルを再び推定する。
【０１３４】
移動局２０−１は、干渉セルのチャネルの再推定値と、生成した干渉信号と、受信信号と、に基づいて、受信信号から、干渉セルにおいて送信された干渉信号に起因する成分をキャンセルすることにより、受信信号を更新する（図１１のステップＳ１０６）。
【０１３５】
そして、移動局２０−１は、選択された干渉セルのすべてに対して、上記ループ処理（図１１のステップＳ１０２〜ステップＳ１０７）を実行した後、ステップＳ１０８へ進む。
【０１３６】
移動局２０−１は、キャンセル後の受信信号に基づいて、サービングセル（本例では、無線エリアＷＡ−２）における基地局１０−２と移動局２０−１との間のチャネルであるサービングセルのチャネルを推定する（図１１のステップＳ１０８）。本例では、移動局２０−１は、サービングセルにおいて基地局１０−２により送信されたＣＲＳに基づいて、当該サービングセルにおいてＣＲＳに割り当てられたＲＥに対するチャネルを推定する。
【０１３７】
移動局２０−１は、サービングセルのチャネルの推定値と、キャンセル後の受信信号と、に基づいて、受信信号を等化する（図１１のステップＳ１０９）。
移動局２０−１は、等化後の受信信号に基づいて、軟判定復号用のＬＬＲを算出する（図１１のステップＳ１１０）。
【０１３８】
以上、説明したように、第１実施形態に係る移動局２０−１は、希望信号が送信される無線エリアＷＡ−２と異なる無線エリアＷＡ−１にて送信された干渉信号に対する第１の復調処理を実行する。更に、移動局２０−１は、第１の復調処理の実行結果に基づいて、無線エリアＷＡ−２に対するチャネルを推定する第１の推定処理を実行する。加えて、移動局２０−１は、推定されたチャネルに基づいて、受信信号から、無線エリアＷＡ−１にて送信された干渉信号に起因する成分をキャンセルするキャンセル処理を実行する。更に、移動局２０−１は、キャンセル処理の実行結果に基づいて希望信号に対する第２の復調処理を実行する。
【０１３９】
これによれば、受信信号から、無線エリアＷＡ−１にて送信された干渉信号に起因する成分を十分に高い精度にてキャンセルすることができる。この結果、無線エリアＷＡ−２にて送信された希望信号の受信品質を高めることができる。
【０１４０】
更に、第１実施形態に係る移動局２０−１は、無線エリアＷＡ−１にて送信されたＣＲＳに基づいて無線エリアＷＡ−１に対するチャネルを推定する第２の推定処理を実行する。第１の復調処理は、第２の推定処理により推定されたチャネルに基づいて実行される。
【０１４１】
これによれば、移動局２０−１は、ＣＲＳに基づいて推定された無線エリアＷＡ−１に対するチャネルに基づいて、干渉信号に対する第１の復調処理を実行する。これにより、干渉信号の受信品質を高めることができる。この結果、第１の推定処理において無線エリアＷＡ−１に対するチャネルを高い精度にて推定できる。
【０１４２】
更に、第１実施形態に係る移動局２０−１において、キャンセル処理は、干渉信号のレプリカ信号を、第１の推定処理により推定されたチャネルと、第１の復調処理の実行結果と、の積に基づいて生成することを含む。更に、キャンセル処理は、生成したレプリカ信号を受信信号から減じることを含む。
【０１４３】
これによれば、受信信号から、無線エリアＷＡ−１にて送信された干渉信号に起因する成分を十分に高い精度にてキャンセルできる。この結果、無線エリアＷＡ−２にて送信された希望信号の受信品質を高めることができる。
【０１４４】
上述したように、第１実施形態に係る復調部２１４は、干渉セルに対して、逐次的にキャンセル処理を実行する。ところで、復調部２１４は、干渉セルに対して、並列的にキャンセル処理を実行してもよい。
【０１４５】
この場合、復調部２１４は、選択した干渉セルのそれぞれに対して、ＣＲＳに基づいて干渉セルのチャネルを推定し、推定したチャネルに基づいて干渉信号を生成し、生成した干渉信号に基づいて干渉セルのチャネルを再推定してよい。更に、復調部２１４は、干渉セルのチャネルの再推定値ｈｅ，ｉ（２ｎｄ）と、生成した干渉信号ｘｉ（ｄａｔａ）と、数式１５と、に基づいて、受信信号から、各干渉セルにて送信された干渉信号に起因する成分をキャンセルする。
これによれば、逐次的にキャンセル処理を実行する場合よりも、迅速に受信信号を処理することができる。
【数１５】
2016039381.tif 000017
【０１４６】
本例では、数式１５において、ｈｅ，ｉ（２ｎｄ）及びｘｉ（ｄａｔａ）のそれぞれは、サブキャリアの番号ｋ及びシンボル時間の番号ｌにより識別されるＲＥが、ｉ番目の干渉セルにおける、Ｎｄａｔａ個のキャンセル対象ＲＥのいずれとも異なる場合、０である。
【０１４７】
上述したように、第１実施形態において、推定対象ＲＥは、干渉セルチャネル推定部２２１と干渉セルチャネル再推定部２２６との間で一致する。なお、推定対象ＲＥは、干渉セルチャネル推定部２２１と干渉セルチャネル再推定部２２６との間で異なっていてもよい。また、推定対象ＲＥの数Ｎｅｓｔは、干渉セルチャネル推定部２２１と干渉セルチャネル再推定部２２６との間で異なっていてもよい。
【０１４８】
なお、干渉セルチャネル再推定部２２６は、Ｎｄａｔａ個のキャンセル対象ＲＥに対する受信信号に加えて、ＮＲＳ個のＣＲＳ割当ＲＥに対する受信信号にも基づいてチャネルを推定してよい。この場合、干渉セルチャネル再推定部２２６は、数式１６に基づいて、ｉ番目の干渉セルにおける、Ｎｅｓｔ個の推定対象ＲＥに対するチャネルｈｅ，ｉ（２ｎｄ）を推定してよい。
【数１６】
2016039381.tif 000018
【０１４９】
ｙ（ＣＲＳ，ｄａｔａ）は、数式１７により表される。ｙ（ＣＲＳ，ｄａｔａ）のｓ行目の要素は、ＮＲＳ個のＣＲＳ割当ＲＥ、及び、Ｎｄａｔａ個のキャンセル対象ＲＥのうちのｓ番目のＲＥに対する受信信号を表す。ｓは、１から、ＮＲＳ＋Ｎｄａｔａまでの整数を表す。
【数１７】
2016039381.tif 000019
【０１５０】
Ｘｉ（ＣＲＳ，ｄａｔａ）は、数式１８により表される、ＮＲＳ＋Ｎｄａｔａ行ＮＲＳ＋Ｎｄａｔａ列の対角行列である。
【数１８】
2016039381.tif 000020
【０１５１】
Ｗｉ（２ｎｄ，ＣＲＳ，ｄａｔａ）は、ｉ番目の干渉セルに対する、Ｎｅｓｔ行ＮＲＳ＋Ｎｄａｔａ列のチャネル推定重み行列を表す。チャネル推定重み行列Ｗｉ（２ｎｄ，ＣＲＳ，ｄａｔａ）のｐ行目の行ベクトルは、Ｎｅｓｔ個の推定対象ＲＥのうちのｐ番目の推定対象ＲＥに対する重みベクトルを表す。重みベクトルのｓ列目の要素は、チャネルの推定に用いられる、ＮＲＳ個のＣＲＳ割当ＲＥ、及び、Ｎｄａｔａ個のキャンセル対象ＲＥのうちのｓ番目のＲＥに対する重み係数を表す。
これによれば、チャネルの推定に用いられるＲＥの数が増加するので、チャネルの推定精度を高めることができる。
【０１５２】
＜第２実施形態＞
次に、第２実施形態に係る無線通信システムについて説明する。第２実施形態に係る無線通信システムは、第１実施形態に係る無線通信システムに対して、干渉信号の送信に用いられるアンテナの数に応じて定められた方式に従って移動局がチャネルの推定を行なう点において相違している。以下、かかる相違点を中心として説明する。
【０１５３】
図１２に例示するように、第２実施形態に係るスモール基地局１０−２のダウンリンク送信部１０３は、図６のダウンリンク送信部１０３の機能に加えて、報知情報生成部１１９ＡとＡＢＳ割当情報生成部１２０Ａとを含む。更に、図１２に例示するように、ダウンリンク送信部１０３は、図６の変調部１１４に代えて、変調部１１４Ａを含む。
【０１５４】
報知情報生成部１１９Ａは、報知情報を生成する。本例では、報知情報は、ＭＩＢ（Ｍａｓｔｅｒ  Ｉｎｆｏｒｍａｔｉｏｎ  Ｂｌｏｃｋ）を含む。例えば、ＭＩＢは、無線フレームのフレーム番号（ＳＦＮ；Ｓｙｓｔｅｍ  Ｆｒａｍｅ  Ｎｕｍｂｅｒ）、及び、システム帯域幅等を含む。報知情報を表す信号は、報知信号と表されてよい。
本例では、干渉信号は、報知信号である。従って、キャンセル対象ＲＥは、報知信号に割り当てられたＲＥである。
【０１５５】
ＡＢＳ割当情報生成部１２０Ａは、ＡＢＳ割当情報を生成する。本例では、ＡＢＳ割当情報は、無線エリアＷＡ−１においてＡＢＳに割り当てられるサブフレームを識別する情報を含む。
なお、スモール基地局１０−２は、ＡＢＳ割当情報を予め保持していてもよい。また、スモール基地局１０−２は、ＡＢＳ割当情報を、通信網ＮＷに接続された制御局、又は、他の基地局１０等から受信してもよい。ＡＢＳ割当情報は、例えば、ＲＲＣ情報として、移動局２０へ送信されてよい。
【０１５６】
誤り訂正符号化部１１３は、生成された、データ及び干渉セルＣＲＳ情報と、報知情報生成部１１９Ａにより生成された報知情報と、ＡＢＳ割当情報生成部１２０Ａにより生成されたＡＢＳ割当情報と、に対して誤り訂正符号化を行なう。
【０１５７】
本例では、マクロ基地局１０−１は、ＡＢＳ割当情報により識別されるサブフレームにてＡＢＳを送信する点を除いて、スモール基地局１０−２と同様の機能を有する。なお、マクロ基地局１０−１においては、ＡＢＳ割当情報生成部１２０Ａは、不要とされてよい。
【０１５８】
なお、マクロ基地局１０−１は、通信トラフィックが閾値よりも大きい場合、ＡＢＳ割当情報により識別されるサブフレームにて、ＡＢＳに代えて、ＣＲＳに割り当てられたＲＥと異なるＲＥがデータに割り当てられたサブフレームを送信してもよい。
【０１５９】
図１３は、ＬＴＥ方式に従ったダウンリンクのＡＢＳにおける無線リソースの割り当ての一例を示す。図１３においては、Ｎｏｒｍａｌ  ＣＰが用いられるとともに送信アンテナの数が１である場合が想定される。なお、無線リソースの割り当ては、図１３と異なっていてもよい。
【０１６０】
本例では、図１３に示すように、ＡＢＳにおいては、ＣＲＳ、ＰＳＳ、ＳＳＳ、及び、ＰＢＣＨにＲＥが割り当てられる。本例では、ＡＢＳにおいては、ＡＢＳに含まれるＲＥのうちの、ＣＲＳ、ＰＳＳ、ＳＳＳ、及び、ＰＢＣＨに割り当てられたＲＥと異なるＲＥには、ブランク信号が割り当てられる。
【０１６１】
変調部１１４Ａは、図６の変調部１１４の機能に加えて、送信アンテナ数に応じて定められた送信ダイバーシチ方式に従った符号化処理を行なう。送信アンテナ数は、無線信号の送信に用いられるアンテナ１６−１，…，１６−Ｐの数である。
本例では、変調部１１４Ａは、報知情報に対して符号化処理を行なう。変調部１１４Ａは、報知情報と異なる情報に対して符号化処理を行なってもよい。
【０１６２】
スモール基地局１０−２は、自局１０−２が収容する移動局２０の数に基づいて、送信アンテナ数を設定してよい。また、スモール基地局１０−２は、自局１０−２が収容する移動局２０と自局１０−２との間の通信の品質に基づいて、送信アンテナ数を設定してよい。
【０１６３】
変調部１１４Ａは、送信アンテナ数が１に設定されている場合、変調後のデータに対して符号化処理を実行せずに、変調後のデータをチャネル多重部１１６へ出力する。
【０１６４】
変調部１１４Ａは、送信アンテナ数が２に設定されている場合、変調後のデータに対して、ＳＦＢＣ（Ｓｐａｃｅ  Ｆｒｅｑｕｅｎｃｙ  Ｂｌｏｃｋ  Ｃｏｄｉｎｇ）方式に従った符号化処理を実行する。変調部１１４Ａは、符号化処理の実行後のデータをチャネル多重部１１６へ出力する。
本例では、Ｎｄａｔａ個の変調シンボルのうちの、２ｂ−１番目及び２ｂ番目の変調シンボルＳ２ｂ−１及びＳ２ｂは、１つのＳＦＢＣペアを形成する。ｂは、１からＮｐａｉｒまでの整数を表す。本例では、Ｎｐａｉｒは、Ｎｄａｔａ／２と等しい。
【０１６５】
送信アンテナ数が２に設定されている場合、例えば、変調部１１４Ａは、アンテナ間で共通する第１のＲＥにて、１番目及び２番目のアンテナから変調シンボルＳ２ｂ−１及びＳ２ｂがそれぞれ送信されるように符号化処理を実行する。更に、変調部１１４Ａは、アンテナ間で共通する第２のＲＥにて、１番目及び２番目のアンテナから変調シンボル−Ｓ２ｂ＊及びＳ２ｂ−１＊がそれぞれ送信されるように符号化処理を実行する。Ａ＊は、Ａの複素共役を表す。
従って、この場合、報知信号に割り当てられたＮｄａｔａ個のＲＥにおいて、Ｎｐａｉｒ個のＳＦＢＣペアが送信される。
【０１６６】
変調部１１４Ａは、送信アンテナ数が４に設定されている場合、変調後のデータに対して、ＳＦＢＣ＋ＦＳＴＤ方式に従った符号化処理を実行する。ＳＦＢＣ＋ＦＳＴＤ方式は、ＳＦＢＣ方式とＦＳＴＤ方式とを組み合わせた方式である。ＦＳＴＤは、Ｆｒｅｑｕｅｎｃｙ  Ｓｗｉｔｃｈｅｄ  Ｔｒａｎｓｍｉｔ  Ｄｉｖｅｒｓｉｔｙの略記である。変調部１１４Ａは、符号化処理の実行後のデータをチャネル多重部１１６へ出力する。
本例では、Ｎｄａｔａ個の変調シンボルのうちの、４ｃ−３番目乃至４ｃ番目の４つの変調シンボルＳ４ｃ−３、Ｓ４ｃ−２、Ｓ４ｃ−１及びＳ４ｃは、２つのＳＦＢＣペアを形成する。ここでは、ｃは、１からＮｐａｉｒ／２までの整数を表す。
【０１６７】
送信アンテナ数が４に設定されている場合、例えば、変調部１１４Ａは、アンテナ間で共通する第１のＲＥにて、１番目及び３番目のアンテナから変調シンボルＳ４ｃ−３及びＳ４ｃ−２がそれぞれ送信されるように符号化処理を実行する。更に、変調部１１４Ａは、アンテナ間で共通する第２のＲＥにて、１番目及び３番目のアンテナから変調シンボル−Ｓ４ｃ−２＊及びＳ４ｃ−３＊がそれぞれ送信されるように符号化処理を実行する。
【０１６８】
加えて、変調部１１４Ａは、アンテナ間で共通する第３のＲＥにて、２番目及び４番目のアンテナから変調シンボルＳ４ｃ−１及びＳ４ｃがそれぞれ送信されるように符号化処理を実行する。更に、変調部１１４Ａは、アンテナ間で共通する第４のＲＥにて、２番目及び４番目のアンテナから変調シンボル−Ｓ４ｃ＊及びＳ４ｃ−１＊がそれぞれ送信されるように符号化処理を実行する。
従って、この場合、報知信号に割り当てられたＮｄａｔａ個のＲＥにおいて、Ｎｐａｉｒ個のＳＦＢＣペアが送信される。
【０１６９】
図１４に例示するように、第２実施形態に係る移動局２０−ｖのダウンリンク受信部２０４は、図９の復調部２１４に代えて、復調部２１４Ａを含む。
なお、本例では、誤り訂正復号部２１５は、誤り訂正復号後の情報又はデータのうちの、ＡＢＳ割当情報及び干渉セルＣＲＳ情報を復調部２１４Ａへ通知する。
【０１７０】
図１５に例示するように、第２実施形態に係る復調部２１４Ａは、第１乃至第５の相違点を除いて、図１０の復調部２１４と同様の機能を有する。
第１の相違点は、復調部２１４Ａが、図１０の干渉セルチャネル推定部２２１に代えて、干渉セルチャネル推定部２２１Ａを含む点である。
第２の相違点は、復調部２１４Ａが、図１０の干渉セル信号復調部２２２に代えて、干渉セル信号復調部２２２Ａを含む点である。
第３の相違点は、復調部２１４Ａが、図１０の干渉セル信号変調部２２５に代えて、干渉セル信号変調部２２５Ａを含む点である。
第４の相違点は、復調部２１４Ａが、図１０の干渉セルチャネル再推定部２２６に代えて、干渉セルチャネル再推定部２２６Ａを含む点である。
第５の相違点は、復調部２１４Ａが、図１０の干渉キャンセル部２２７に代えて、干渉キャンセル部２２７Ａを含む点である。
【０１７１】
干渉セルチャネル推定部２２１Ａは、下記の相違点を除いて、干渉セルチャネル推定部２２１と同様の機能を有する。相違点は、チャネルの推定を、ｉ番目の干渉セルにて基地局１０が送信に用いるアンテナ１６と、移動局２０が受信に用いるアンテナ２５と、の組み合わせのそれぞれに対して行なう点である。
【０１７２】
本例では、干渉セルチャネル推定部２２１Ａは、干渉セルＣＲＳ情報に含まれる送信アンテナ数と、ｉ番目の干渉セルにおけるＣＲＳ割当ＲＥに対する受信信号の入力値と、に基づいてチャネルの推定値ｈｅ，ｉ，ｒ，ｔ（１ｓｔ）を算出する。ｈｅ，ｉ，ｒ，ｔ（１ｓｔ）は、ｉ番目の干渉セルにおけるｔ番目の送信アンテナ１６と、ｒ番目の受信アンテナ２５と、の間のチャネルの推定値を表す。ｒは、１から受信アンテナ数までの整数を表す。受信アンテナ数は、移動局２０が受信に用いるアンテナの数である。ｔは、１から送信アンテナ数までの整数を表す。
【０１７３】
干渉セル信号復調部２２２Ａは、干渉セルチャネル推定部２２１Ａにより推定されたチャネルと、干渉セルＣＲＳ情報に含まれる送信アンテナ数と、に基づいて、ｉ番目の干渉セルにおけるＮｄａｔａ個のキャンセル対象ＲＥに対する受信信号に対して復調を行なう。
【０１７４】
本例では、干渉セル信号復調部２２２Ａは、干渉セル信号復調部２２２の機能に加えて、送信アンテナ数に応じて定められた送信ダイバーシチ方式に従った符号化処理に対応する復号処理を行なう。例えば、送信アンテナ数が２である場合、干渉セル信号復調部２２２Ａは、ＳＦＢＣ方式に従った符号化処理に対応する復号処理を行なう。また、送信アンテナ数が４である場合、干渉セル信号復調部２２２Ａは、ＳＦＢＣ＋ＦＳＴＤ方式に従った符号化処理に対応する復号処理を行なう。
【０１７５】
干渉セル信号変調部２２５Ａは、干渉セル信号変調部２２５の機能に加えて、送信アンテナ数に応じて定められた送信ダイバーシチ方式に従った符号化処理を行なう。例えば、送信アンテナ数が２である場合、干渉セル信号変調部２２５Ａは、ＳＦＢＣ方式に従った符号化処理を行なう。また、送信アンテナ数が４である場合、干渉セル信号変調部２２５Ａは、ＳＦＢＣ＋ＦＳＴＤ方式に従った符号化処理を行なう。
これにより、干渉セル信号変調部２２５Ａは、基地局１０により送信された干渉信号を生成する。
【０１７６】
干渉セルチャネル再推定部２２６Ａは、下記の第１及び第２の相違点を除いて干渉セルチャネル再推定部２２６と同様の機能を有する。第１の相違点は、チャネルの再推定を、ｉ番目の干渉セルにおいて基地局１０が送信に用いるアンテナ１６と、移動局２０が受信に用いるアンテナ２５と、の組み合わせのそれぞれに対して行なう点である。第２の相違点は、送信アンテナ数に応じて定められた送信ダイバーシチ方式に従った推定処理を行なう点である。
本例では、干渉セルチャネル再推定部２２６Ａは、干渉セルＣＲＳ情報に含まれる送信アンテナ数に応じて定められた送信ダイバーシチ方式に従った推定処理を行なう。
【０１７７】
（送信アンテナ数が１である場合）
干渉セルチャネル再推定部２２６Ａは、送信アンテナ数が１である場合、数式１０に代えて、数式１９を用いることにより、チャネルの再推定を行なう。
【数１９】
2016039381.tif 000021
【０１７８】
ｈｅ，ｉ，ｒ，ｔ（２ｎｄ）は、ｉ番目の干渉セルにおけるｔ番目の送信アンテナ１６と、ｒ番目の受信アンテナ２５と、の間のチャネルの推定値を表す。ここでは、送信アンテナ数が１である場合を想定しているので、ｔは１を表す。ｈｅ，ｉ，ｒ，ｔ（２ｎｄ）は、数式２０により表される。ｈｅ，ｉ，ｒ，ｔ（２ｎｄ）のｐ行目の要素は、Ｎｅｓｔ個の推定対象ＲＥのうちのｐ番目の推定対象ＲＥに対するチャネルを表す。
【数２０】
2016039381.tif 000022
【０１７９】
また、ｙｒ（ｄａｔａ）は、ｒ番目の受信アンテナ２５により受信された受信信号を表す。ｙｒ（ｄａｔａ）は、数式２１により表される。ｙｒ（ｄａｔａ）のｗ行目の要素は、Ｎｄａｔａ個のキャンセル対象ＲＥのうちのｗ番目のキャンセル対象ＲＥに対する受信信号を表す。
【数２１】
2016039381.tif 000023
【０１８０】
また、Ｘｉ，ｔ（ｄａｔａ）は、ｉ番目の干渉セルにおけるｔ番目の送信アンテナ１６により送信された送信信号を表す。Ｘｉ，ｔ（ｄａｔａ）は、数式２２により表される、Ｎｄａｔａ行Ｎｄａｔａ列の対角行列である。ｘｉ（ｗ）は、チャネルの推定に用いられるＮｄａｔａ個のキャンセル対象ＲＥのうちの、ｗ番目のキャンセル対象ＲＥに割り当てられるとともに、干渉セル信号変調部２２５Ａにより生成された干渉信号を表す。また、Ｅ｛｜ｘｉ（１）｜２｝＝Ｅ｛｜ｘｉ（２）｜２｝＝・・・＝Ｅ｛｜ｘｉ（Ｎｄａｔａ）｜２｝＝Ｅ｛｜ｘｉ｜２｝とおく。
【数２２】
2016039381.tif 000024
【０１８１】
また、Ｗｉ，ｒ，ｔ（２ｎｄ）は、ｉ番目の干渉セルにおける、ｒ番目の受信アンテナ２５と、ｔ番目の送信アンテナ１６と、の間のチャネルに対する、Ｎｅｓｔ行Ｎｄａｔａ列のチャネル推定重み行列を表す。チャネル推定重み行列Ｗｉ，ｒ，ｔ（２ｎｄ）のｐ行目の行ベクトルは、Ｎｅｓｔ個の推定対象ＲＥのうちのｐ番目の推定対象ＲＥに対する重みベクトルを表す。重みベクトルのｗ列目の要素は、チャネルの推定に用いられるＮｄａｔａ個のキャンセル対象ＲＥのうちの、ｗ番目のキャンセル対象ＲＥに対する重み係数を表す。
【０１８２】
（送信アンテナ数が２である場合）
干渉セルチャネル再推定部２２６Ａは、送信アンテナ数が２である場合、数式２２に代えて、数式２３及び数式２４を用いることにより、チャネルの再推定を行なう。（Ａ）ａ，ｂは、行列Ａのａ行ｂ列の要素を表す。ａは、１からＮｄａｔａまでの整数を表す。ｂは、１からＮｐａｉｒまでの整数を表す。
【数２３】
2016039381.tif 000025
【数２４】
2016039381.tif 000026
【０１８３】
Ｘｉ，ｔ（ｄａｔａ）は、ｉ番目の干渉セルにおけるｔ番目の送信アンテナ１６により送信された送信信号を表す。この場合、ｔは、１から２までの整数を表す。Ｘｉ，ｔ（ｄａｔａ）は、Ｎｄａｔａ行Ｎｐａｉｒ列の行列である。
【０１８４】
Ｘｉ，１（ｄａｔａ）は、数式２３に示されるように、ｂ列の、２ｂ−１行目及び２ｂ行目の要素として、ｘｉ（２ｂ−１）及びｘｉ（２ｂ）をそれぞれ有するとともに、それ以外の要素として０を有する。
Ｘｉ，２（ｄａｔａ）は、数式２４に示されるように、ｂ列の、２ｂ−１行目及び２ｂ行目の要素として、−ｘｉ＊（２ｂ）及びｘｉ＊（２ｂ−１）をそれぞれ有するとともに、それ以外の要素として０を有する。
【０１８５】
この場合、数式１９におけるＷｉ，ｒ，ｔ（２ｎｄ）は、ｉ番目の干渉セルにおける、ｒ番目の受信アンテナ２５と、ｔ番目の送信アンテナ１６と、の間のチャネルに対する、Ｎｅｓｔ行Ｎｐａｉｒ列のチャネル推定重み行列を表す。チャネル推定重み行列Ｗｉ，ｒ，ｔ（２ｎｄ）のｐ行目の行ベクトルは、Ｎｅｓｔ個の推定対象ＲＥのうちのｐ番目の推定対象ＲＥに対する重みベクトルを表す。重みベクトルの要素は、チャネルの推定に用いられるキャンセル対象ＲＥに対する重み係数を表す。
【０１８６】
（送信アンテナ数が４である場合）
干渉セルチャネル再推定部２２６Ａは、送信アンテナ数が４である場合、数式２２に代えて、数式２５乃至数式２８を用いることにより、チャネルの再推定を行なう。ｃは、１からＮｐａｉｒ／２までの整数を表す。
【数２５】
2016039381.tif 000027
【数２６】
2016039381.tif 000028
【数２７】
2016039381.tif 000029
【数２８】
2016039381.tif 000030
【０１８７】
Ｘｉ，ｔ（ｄａｔａ）は、ｉ番目の干渉セルにおけるｔ番目の送信アンテナ１６により送信された送信信号を表す。この場合、ｔは、１から４までの整数を表す。Ｘｉ，ｔ（ｄａｔａ）は、Ｎｄａｔａ行Ｎｐａｉｒ／２列の行列である。
【０１８８】
Ｘｉ，１（ｄａｔａ）は、数式２５に示されるように、ｃ列の、４ｃ−３行目及び４ｃ−２行目の要素として、ｘｉ（４ｃ−３）及びｘｉ（４ｃ−２）をそれぞれ有するとともに、それ以外の要素として０を有する。
Ｘｉ，３（ｄａｔａ）は、数式２６に示されるように、ｃ列の、４ｃ−３行目及び４ｃ−２行目の要素として、−ｘｉ＊（４ｃ−２）及びｘｉ＊（４ｃ−３）をそれぞれ有するとともに、それ以外の要素として０を有する。
【０１８９】
Ｘｉ，２（ｄａｔａ）は、数式２７に示されるように、ｃ列の、４ｃ−１行目及び４ｃ行目の要素として、ｘｉ（４ｃ−１）及びｘｉ（４ｃ）をそれぞれ有するとともに、それ以外の要素として０を有する。
Ｘｉ，４（ｄａｔａ）は、数式２８に示されるように、ｃ列の、４ｃ−１行目及び４ｃ行目の要素として、−ｘｉ＊（４ｃ）及びｘｉ＊（４ｃ−１）をそれぞれ有するとともに、それ以外の要素として０を有する。
【０１９０】
干渉キャンセル部２２７Ａは、下記の第１及び第２の相違点を除いて、干渉キャンセル部２２７と同様の機能を有する。第１の相違点は、移動局２０が受信に用いるアンテナ２５のそれぞれに対して、受信信号の暫定値ｙｒ’の算出を行なう点である。第２の相違点は、送信アンテナ数に応じて定められた送信ダイバーシチ方式に従ったキャンセル処理を行なう点である。
【０１９１】
本例では、干渉キャンセル部２２７Ａは、干渉セルＣＲＳ情報に含まれる送信アンテナ数に応じて定められた送信ダイバーシチ方式に従ったキャンセル処理を行なう。また、本例では、干渉キャンセル部２２７Ａは、各受信アンテナ２５に対して、受信信号の入力値ｙｒと、推定されたチャネルｈｅ，ｉ，ｒ，ｔ（２ｎｄ）と、生成された干渉信号ｘｉと、に基づいて受信信号の暫定値ｙｒ’を算出する。
【０１９２】
（送信アンテナ数が１である場合）
干渉キャンセル部２２７Ａは、送信アンテナ数が１である場合、数式１４に代えて、数式２９を用いることにより、ｒ番目の受信アンテナ２５に対する受信信号の暫定値ｙｒ’を算出する。
【数２９】
2016039381.tif 000031
【０１９３】
（送信アンテナ数が２である場合）
干渉キャンセル部２２７Ａは、送信アンテナ数が２である場合、数式１４に代えて、数式３０及び数式３１を用いることにより、ｒ番目の受信アンテナ２５に対する受信信号の暫定値ｙｒ’を算出する。
【数３０】
2016039381.tif 000032
【数３１】
2016039381.tif 000033
【０１９４】
本例では、干渉キャンセル部２２７Ａは、Ｒｉ（ｄａｔａ）（ｋ，ｌ）＝２ｂ−１が成立する場合、数式３０を用いることにより、ｒ番目の受信アンテナ２５に対する受信信号の暫定値ｙｒ’を算出する。上述したように、ｂは、１からＮｐａｉｒまでの整数を表す。また、本例では、干渉キャンセル部２２７Ａは、Ｒｉ（ｄａｔａ）（ｋ，ｌ）＝２ｂが成立する場合、数式３１を用いることにより、ｒ番目の受信アンテナ２５に対する受信信号の暫定値ｙｒ’を算出する。
【０１９５】
（送信アンテナ数が４である場合）
干渉キャンセル部２２７Ａは、送信アンテナ数が４である場合、数式１４に代えて、数式３２乃至数式３５を用いることにより、ｒ番目の受信アンテナ２５に対する受信信号の暫定値ｙｒ’を算出する。
【数３２】
2016039381.tif 000034
【数３３】
2016039381.tif 000035
【数３４】
2016039381.tif 000036
【数３５】
2016039381.tif 000037
【０１９６】
本例では、干渉キャンセル部２２７Ａは、Ｒｉ（ｄａｔａ）（ｋ，ｌ）＝４ｃ−３が成立する場合、数式３２を用いることにより、ｒ番目の受信アンテナ２５に対する受信信号の暫定値ｙｒ’を算出する。上述したように、ｃは、１からＮｐａｉｒ／２までの整数を表す。また、本例では、干渉キャンセル部２２７Ａは、Ｒｉ（ｄａｔａ）（ｋ，ｌ）＝４ｃ−２が成立する場合、数式３３を用いることにより、ｒ番目の受信アンテナ２５に対する受信信号の暫定値ｙｒ’を算出する。
【０１９７】
また、本例では、干渉キャンセル部２２７Ａは、Ｒｉ（ｄａｔａ）（ｋ，ｌ）＝４ｃ−１が成立する場合、数式３４を用いることにより、ｒ番目の受信アンテナ２５に対する受信信号の暫定値ｙｒ’を算出する。また、本例では、干渉キャンセル部２２７Ａは、Ｒｉ（ｄａｔａ）（ｋ，ｌ）＝４ｃが成立する場合、数式３５を用いることにより、ｒ番目の受信アンテナ２５に対する受信信号の暫定値ｙｒ’を算出する。
【０１９８】
このようにして、第２実施形態に係る無線通信システム１は、第１実施形態に係る無線通信システム１と同様に動作する。これにより、第２実施形態に係る移動局２０−１は、第１実施形態に係る移動局２０−１と同様の作用及び効果を奏する。
【０１９９】
干渉信号の送信に用いられるアンテナ１６の数に応じて、送信ダイバーシチ方式が変化する。送信ダイバーシチ方式が変化すると、各アンテナ１６により送信される信号も変化する。
【０２００】
上述したように、第２実施形態に係る移動局２０−１において、第１の推定処理は、干渉信号の送信に用いられるアンテナ１６の数に応じて定められた方式に従う。従って、第２実施形態に係る干渉セルチャネル再推定部２２６Ａによれば、無線エリアＷＡ−１に対するチャネルを高い精度にて推定できる。
【０２０１】
同様に、第２実施形態に係る移動局２０−１において、キャンセル処理は、干渉信号の送信に用いられるアンテナ１６の数に応じて定められた方式に従う。従って、第２実施形態に係る干渉キャンセル部２２７Ａによれば、無線エリアＷＡ−２にて送信された希望信号の受信品質を高めることができる。
【０２０２】
ＰＢＣＨは、ＡＢＳにおいても無線リソースに割り当てられる。
上述したように、第２実施形態に係る移動局２０−１は、干渉信号として、ＰＢＣＨにて送信される報知信号を用いる。これによれば、無線エリアＷＡ−１にてＡＢＳが送信される期間において、無線エリアＷＡ−２にて送信された希望信号の受信品質を高めることができる。
【０２０３】
上述した実施形態の他の変形例として、上述した実施形態及び変形例の任意の組み合わせが採用されてもよい。
上述した実施形態において、既述の装置又は方法は、ダウンリンクの通信に適用されていたが、ダウンリンクの通信に代えて、又は、ダウンリンクの通信に加えて、アップリンクの通信に適用されてもよい。
【０２０４】
＜付記＞
上述した各実施形態に関し、更に以下の付記を開示する。
【０２０５】
（付記１）
希望信号である第１の信号が送信される第１の無線エリアと異なる第２の無線エリアにて送信された第２の信号に対する第１の復調処理を実行する第１の処理部と、
前記第１の復調処理の実行結果に基づいて、前記第２の無線エリアに対するチャネルを推定する第１の推定処理を実行する第１の推定部と、
前記推定されたチャネルに基づいて、受信信号から、前記第２の無線エリアにて送信された前記第２の信号に起因する成分をキャンセルするキャンセル処理を実行する第２の処理部と、を備えるとともに、
前記キャンセル処理の実行結果に基づいて前記希望信号に対する第２の復調処理を実行する、受信装置。
【０２０６】
（付記２）
付記１に記載の受信装置であって、
前記第２の無線エリアにて送信された既知信号に基づいて前記第２の無線エリアに対するチャネルを推定する第２の推定処理を実行する第２の推定部を備え、
前記第１の復調処理は、前記第２の推定処理により推定されたチャネルに基づいて実行される、受信装置。
【０２０７】
（付記３）
付記１又は付記２に記載の受信装置であって、
前記第１の推定処理は、前記第２の信号の送信に用いられるアンテナの数に応じて定められた方式に従う、受信装置。
【０２０８】
（付記４）
付記１乃至付記３のいずれか一項に記載の受信装置であって、
前記キャンセル処理は、前記第２の信号の送信に用いられるアンテナの数に応じて定められた方式に従う、受信装置。
【０２０９】
（付記５）
付記１乃至付記４のいずれか一項に記載の受信装置であって、
前記第２の信号は、ＰＢＣＨ（Ｐｈｙｓｉｃａｌ  Ｂｒｏａｄｃａｓｔ  Ｃｈａｎｎｅｌ）にて送信される、受信装置。
【０２１０】
（付記６）
付記１乃至付記５のいずれか一項に記載の受信装置であって、
前記キャンセル処理は、前記第２の信号のレプリカ信号を、前記第１の推定処理により推定されたチャネルと、前記第１の復調処理の実行結果と、の積に基づいて生成し、前記生成したレプリカ信号を前記受信信号から減じることを含む、受信装置。
【０２１１】
（付記７）
希望信号である第１の信号が送信される第１の無線エリアと異なる第２の無線エリアにて送信された第２の信号に対する第１の復調処理を実行し、
前記第１の復調処理の実行結果に基づいて、前記第２の無線エリアに対するチャネルを推定する第１の推定処理を実行し、
前記推定されたチャネルに基づいて、受信信号から、前記第２の無線エリアにて送信された前記第２の信号に起因する成分をキャンセルするキャンセル処理を実行し、
前記キャンセル処理の実行結果に基づいて前記希望信号に対する第２の復調処理を実行する、受信方法。
【０２１２】
（付記８）
付記７に記載の受信方法であって、
前記第２の無線エリアにて送信された既知信号に基づいて前記第２の無線エリアに対するチャネルを推定する第２の推定処理を実行し、
前記第１の復調処理は、前記第２の推定処理により推定されたチャネルに基づいて実行される、受信方法。
【０２１３】
（付記９）
付記７又は付記８に記載の受信方法であって、
前記第１の推定処理は、前記第２の信号の送信に用いられるアンテナの数に応じて定められた方式に従う、受信方法。
【０２１４】
（付記１０）
付記７乃至付記９のいずれか一項に記載の受信方法であって、
前記キャンセル処理は、前記第２の信号の送信に用いられるアンテナの数に応じて定められた方式に従う、受信方法。
【０２１５】
（付記１１）
付記７乃至付記１０のいずれか一項に記載の受信方法であって、
前記第２の信号は、ＰＢＣＨ（Ｐｈｙｓｉｃａｌ  Ｂｒｏａｄｃａｓｔ  Ｃｈａｎｎｅｌ）にて送信される、受信方法。
【０２１６】
（付記１２）
付記７乃至付記１１のいずれか一項に記載の受信方法であって、
前記キャンセル処理は、前記第２の信号のレプリカ信号を、前記第１の推定処理により推定されたチャネルと、前記第１の復調処理の実行結果と、の積に基づいて生成し、前記生成したレプリカ信号を前記受信信号から減じることを含む、受信方法。
【０２１７】
（付記１３）
送信装置と、受信装置と、を備え、
前記送信装置は、第１の無線エリアにて希望信号である第１の信号を送信する送信部を備え、
前記受信装置は、
前記第１の無線エリアと異なる第２の無線エリアにて送信された第２の信号に対する第１の復調処理を実行する第１の処理部と、
前記第１の復調処理の実行結果に基づいて、前記第２の無線エリアに対するチャネルを推定する第１の推定処理を実行する第１の推定部と、
前記推定されたチャネルに基づいて、受信信号から、前記第２の無線エリアにて送信された前記第２の信号に起因する成分をキャンセルするキャンセル処理を実行する第２の処理部と、を備えるとともに、前記キャンセル処理の実行結果に基づいて前記希望信号に対する第２の復調処理を実行する、無線通信システム。
【０２１８】
（付記１４）
付記１３に記載の無線通信システムであって、
前記受信装置は、
前記第２の無線エリアにて送信された既知信号に基づいて前記第２の無線エリアに対するチャネルを推定する第２の推定処理を実行する第２の推定部を備え、
前記第１の処理部は、前記第２の推定処理により推定されたチャネルに基づいて前記第２の信号に対する前記第１の復調処理を実行する、無線通信システム。
【０２１９】
（付記１５）
付記１３又は付記１４に記載の無線通信システムであって、
前記第１の推定処理は、前記第２の信号の送信に用いられるアンテナの数に応じて定められた方式に従う、無線通信システム。
【０２２０】
（付記１６）
付記１３乃至付記１５のいずれか一項に記載の無線通信システムであって、
前記キャンセル処理は、前記第２の信号の送信に用いられるアンテナの数に応じて定められた方式に従う、無線通信システム。
【０２２１】
（付記１７）
付記１３乃至付記１６のいずれか一項に記載の無線通信システムであって、
前記第２の信号は、ＰＢＣＨ（Ｐｈｙｓｉｃａｌ  Ｂｒｏａｄｃａｓｔ  Ｃｈａｎｎｅｌ）にて送信される、無線通信システム。
【０２２２】
（付記１８）
付記１３乃至付記１７のいずれか一項に記載の無線通信システムであって、
前記キャンセル処理は、前記第２の信号のレプリカ信号を、前記第１の推定処理により推定されたチャネルと、前記第１の復調処理の実行結果と、の積に基づいて生成し、前記生成したレプリカ信号を前記受信信号から減じることを含む、無線通信システム。
【符号の説明】
【０２２３】
１      無線通信システム
１０    基地局
１１    プロセッサ
１２    記憶装置
１３    ＮＩＦ回路
１４    ＬＳＩ
１５    無線処理回路
１６    アンテナ
１０１  無線処理部
１０２  アップリンク受信部
１０３  ダウンリンク送信部
１０４  無線処理部
１１１  データ生成部
１１２  干渉セルＣＲＳ情報生成部
１１３  誤り訂正符号化部
１１４，１１４Ａ  変調部
１１５  ＣＲＳ生成部
１１６  チャネル多重部
１１７  ＩＦＦＴ部
１１８  ＣＰ付加部
１１９Ａ  報知情報生成部
１２０Ａ  ＡＢＳ割当情報生成部
２０    移動局
２１    プロセッサ
２２    記憶装置
２３    ＬＳＩ
２４    無線処理回路
２５    アンテナ
２０１  アップリンク送信部
２０２  無線処理部
２０３  無線処理部
２０４  ダウンリンク受信部
２１１  ＣＰ除去部
２１２  ＦＦＴ部
２１３  デマッピング部
２１４，２１４Ａ  復調部
２１５  誤り訂正復号部
２２１，２２１Ａ  干渉セルチャネル推定部
２２２，２２２Ａ  干渉セル信号復調部
２２３  干渉セル信号誤り訂正復号部
２２４  干渉セル信号誤り訂正符号化部
２２５，２２５Ａ  干渉セル信号変調部
２２６，２２６Ａ  干渉セルチャネル再推定部
２２７，２２７Ａ  干渉キャンセル部
２２８  チャネル推定部
２２９  等化部
９１    マクロ基地局
９２    ピコ基地局
９３    移動局
ＮＷ    通信網
【図１】
2016039381.tif 000038
【図２】
2016039381.tif 000039
【図３】
2016039381.tif 000040
【図４】
2016039381.tif 000041
【図５】
2016039381.tif 000042
【図６】
2016039381.tif 000043
【図７】
2016039381.tif 000044
【図８】
2016039381.tif 000045
【図９】
2016039381.tif 000046
【図１０】
2016039381.tif 000047
【図１１】
2016039381.tif 000048
【図１２】
2016039381.tif 000049
【図１３】
2016039381.tif 000050
【図１４】
2016039381.tif 000051
【図１５】
2016039381.tif 000052